(57)【要約】  放電電極付きの記録媒体とすることにより、放電電極から放出された電子やイオンを媒体本体の記録面の所望の位置に確実に照射することができ、その電荷の作用により高品質な画像を形成することができカラー化が容易であると共に、放電電極の表面を保護して放電発生の安定性を確保することができ、また、媒体本体を放電電極と対向電極で挟むことにより、環境の変化や静電気等の影響を受け難く、画像が経時的に変化することを確実に防止でき、画像品質の安定性に優れ、幅広い用途に使用することが可能な汎用性に優れた記録媒体の提供。  電荷の作用により書き込みや消去が可能な媒体本体と、媒体本体の一方の面側に配設された放電電極と、を備えている。
2007094070.tif 000002
【特許請求の範囲】
【請求項１】
電荷の作用により書き込みや消去が可能な媒体本体と、前記媒体本体の一方の面側に配設された放電電極と、を備えたことを特徴とする記録媒体。
【請求項２】
前記媒体本体と前記放電電極との間に配設され前記媒体本体と前記放電電極とを離間させたスペーサを備えたことを特徴とする請求項１に記載の記録媒体。
【請求項３】
前記媒体本体の前記放電電極が配設された面と反対の面側に配設された対向電極を備えたことを特徴とする請求項１又は２に記載の記録媒体。
【請求項４】
前記放電電極に覆設された放電電極保護層と、前記放電電極保護層に前記放電電極に対応して配設された発熱抵抗体を有する加熱手段と、を備えたことを特徴とする請求項１乃至３の内いずれか１項に記載の記録媒体。
【請求項５】
前記放電電極の前記媒体本体側と反対側の表面に形成又は配設若しくは塗設された熱吸収層を備えたことを特徴とする請求項１乃至３の内いずれか１項に記載の記録媒体。
【請求項６】
前記対向電極が、前記媒体本体の表示画素の画素単位、行単位、列単位の内のいずれか１つの単位で分割されて形成されたことを特徴とする請求項３乃至５の内いずれか１項に記載の記録媒体。
【請求項７】
前記対向電極が、前記媒体本体の表示原色の色単位に分割されて形成されたことを特徴とする請求項６に記載の記録媒体。
【請求項８】
前記放電電極が、前記媒体本体の表示原色の色単位に分割されて形成されたことを特徴とする請求項１乃至７の内いずれか１項に記載の記録媒体。
【請求項９】
複数の表示原色が縞模様状に配置されたカラーフィルタが、前記媒体本体に積層されたことを特徴とする請求項１乃至８の内いずれか１項に記載の記録媒体。
【請求項１０】
複数の表示原色の内のいずれか一色を選択的に表示可能な画像表示材料が、前記媒体本体に前記表示原色の色毎に縞模様状に配置されたことを特徴とする請求項１乃至８の内いずれか１項に記載の記録媒体。
【発明の詳細な説明】
【技術分野】
【０００１】
本発明は、記録媒体の記録面に電子やイオンを照射するための放電電極が一体に形成された静電現像方式の記録媒体に関する。
【背景技術】
【０００２】
近年、（特許文献１）に示すように、電子写真方式とは別方式の静電潜像形成方式である、イオン照射方式が開発されてきている。
電子写真方式が一様帯電＋露光という２工程で、一様帯電した感光体上の露光した部分の電荷を逃がすことで、静電潜像担持体としての感光体上に静電潜像を形成するのに対し、イオン照射方式では、イオン生成可能な雰囲気中（大気中等）においては、放電電極からの電子の放出により発生するイオンの照射による選択的帯電（静電潜像形成帯電）のみで静電潜像担持体（絶縁体であれば良いので、必ずしも感光体である必要はない）上に静電潜像の形成を完了できるので、より簡素化された静電潜像形成方式である。
また、（特許文献２）には、水平プリンタ対応型のイオン照射型印字ヘッドの具体的な形状及びそれを備えた画像形成装置が開示されている。
特に、（特許文献１）や（特許文献２）に示す加熱放電方式は、放電電極に印加しただけでは放電が発生せず加熱することにより放電が発生する電圧（放電制御電圧）を印加した状態で、放電電極への加熱の有無を制御することにより、放電の有無を制御してイオンの発生制御を行うものであり、放電電極に印加する電圧の制御が不要である。その結果、発熱抵抗体等による加熱の制御に使用する５Ｖ駆動のような低耐電圧対応のドライバＩＣで放電の発生を制御することができ、放電の制御の観点からは最も優れた制御方式であると言える。
また、放電電極に放電制御電圧が直接、印加されていることにより、加熱によって多量のイオンを発生させることができるため、一般的にデジタルペーパと称される静電現像方式の記録媒体を選択的に帯電させて非接触で画像の書き込みを行うには、現在考え得る最適な印字ヘッドである。
因に、現時点におけるデジタルペーパとしては、微小なボールを二色（例えば白黒）に色分けし、各色の電気特性の違いによりボールを回転して任意の一色を表示するツイストボール方式、微小なボール中に二色（例えば白黒）の微粉末を混入し、各色の微粉末が持つ電気特性の違いにより一色のみを浮上させて表示する電気泳動方式、液晶板あるいは微小な液晶ブロックの液晶シャッターを開閉して、シャッターを開けた部分の背景色を表示する液晶方式等がある。
【特許文献１】特開２００３−３２６７５６号公報
【特許文献２】特願２００４−０６９３５０号
【発明の開示】
【発明が解決しようとする課題】
【０００３】
しかしながら、上記従来の技術においては、以下のような課題を有していた。
（１）（特許文献１）、（特許文献２）の加熱放電型印字ヘッドを備えた画像形成装置は、前述のように放電の制御が容易で静電現像方式の記録媒体に非接触で書き込むには最適なものであるが、加熱放電型印字ヘッドと記録媒体を相対的に移動させながら書き込みを行うので、高画質化、カラー化を図るためには、加熱放電型印字ヘッドと記録媒体との位置合わせやイオン照射のタイミング等の制御に高い精度が要求され、高画質化、カラー化が困難で、静電現像方式の記録媒体の普及における課題となっていた。
（２）また、加熱放電型印字ヘッドの放電電極は表面が露出しているため粉塵等で汚れ易く、経時的に放電発生の安定性が低下し、画像品質の劣化が発生し易くなるという課題を有していた。
（３）さらに、電界によって画像を形成する従来の静電現像方式の記録媒体では、帯電した人などが触れるとその電荷の作用により経時的に画像の乱れが発生してしまい画像を継続的に表示する際の画像品質の信頼性に欠け、短期間で画像の書き換えを行うものに用途が限定され、汎用性に欠けるという課題を有していた。
以上のような観点から、環境の変化などの影響を受け難く、長期に渡って表示画像を維持することが可能な画像品質の安定性に優れた記録媒体の開発が強く要望されていた。【０００４】
本発明は上記要望に応えるもので、放電電極付きの記録媒体とすることにより、放電電極から放出された電子やイオンを媒体本体の記録面の所望の位置に確実に照射することができ、その電荷の作用により高品質な画像を形成することができカラー化が容易であると共に、放電電極の表面を保護して放電発生の安定性を確保することができ、また、媒体本体を放電電極と対向電極で挟むことにより、環境の変化や静電気等の影響を受け難く、画像が経時的に変化することを確実に防止でき、画像品質の安定性に優れ、幅広い用途に使用することが可能な汎用性に優れた記録媒体の提供を目的とする。
【課題を解決するための手段】
【０００５】
上記課題を解決するために本発明の記録媒体は、以下の構成を有している。
本発明の請求項１に記載の記録媒体は、電荷の作用により書き込みや消去が可能な媒体本体と、前記媒体本体の一方の面側に配設された放電電極と、を備えた構成を有している。
この構成により、以下のような作用を有する。
（１）媒体本体の一方の面側に放電電極が配設されていることにより、放電電極の表面（電子放出部位）が粉塵等で汚れることがなく、放電電極の長寿命性及び放電発生の安定性に優れると共に、放電電極や媒体本体などの不具合により画像品質の劣化が発生した場合には、媒体本体と一緒に放電電極を廃棄、交換することにより常に画像の品質を一定に保つことができ、画像品質の信頼性に優れる。
（２）放電電極と媒体本体が一体に形成されているので、放電に伴って放電電極から放出された電子やイオンを媒体本体の記録面の所望の位置に確実に照射することができ、その電荷の作用により高品質な画像を形成することが可能でカラー化を容易に行うことができる。【０００６】
ここで、この記録媒体の媒体本体は、電荷の作用により静電潜像が形成されるものであればよい。媒体本体の表示層としては、透過型のネマティック液晶やスメクティック液晶等のシャッター機能を有する液晶材料を用いた液晶方式や白色又は黒色を選択的に表示可能なツイストボール方式，電気泳動方式，粉体移動方式等の画像表示材料が封入されたものが好適に用いられる。
これらの表示層に、加法混色法における三原色（Ｒ，Ｇ，Ｂ）を持つカラーフィルタや減法混色法における三原色（Ｙ，Ｍ，Ｃ）を持つ反射層を組み合わせることによりカラー表示を行うことができる。また、カラーフィルタを組み合わせる代わりに、減法混色法における三原色（Ｙ，Ｍ，Ｃ）等に着色したツイストボールや微粒子等の画像表示材料を表示原色の色毎に配列してカラー表示を行うこともできる。また、１枚の媒体本体を複数の領域に分割し、領域毎に異なる色を表示するようにしてもよい。【０００７】
放電電極の配設は媒体本体の記録面と密着させて形成してもよいし、スペーサ等を挟んで離間させて形成してもよい。
放電電極と、媒体本体の放電電極が配設された面と反対の面側に形成或いは接触又は近接して配設された対向電極と、の間に放電制御電圧に相当する電位差を設定して電界を形成し、発熱抵抗体やレーザ照射部等を備えた加熱手段により放電電極を選択的に加熱することで放電電極と対向電極との間で放電を発生させることができ、電界によって放電電極から放出させた電子やイオンを媒体本体の記録面に移動させ、電荷を付与して静電潜像を形成し、画像を表示させることができる。
放電制御電圧とは、その電位差だけでは放電電極と対向電極との間で放電は起こらないが、放電電極を加熱することにより放電が起こる電圧域を言う。また、ここでの放電とは放電電極から電子が放出されることを言う。放電電極と媒体本体が離間して形成された放電空間が、大気等のイオン生成可能な雰囲気である場合には、放出された電子が酸素や窒素をイオン化し、それらを媒体本体の記録面に到達させる。【０００８】
放電電極は、基板に金、銀、銅、アルミニウム等の金属を蒸着、スパッタ、印刷、メッキなどで形成した後、必要に応じてエッチングしてパターン形成するもの、ステンレス、銅、アルミニウム等の金属の少なくとも一部をエッチングや切削等により薄肉化した後、必要に応じてエッチングやレーザ加工等によりパターン形成するもの等が好適に用いられる。また、その他にカーボン等の導電材料を用いて放電電極を形成してもよい。
放電電極の形状としては、複数の電子放出部位を有する長方形状や正方形状等の一枚の平板状に形成する以外に、例えば複数の電子放出部位の一端部を共通電極で接続して櫛型に形成したり、複数の電子放出部位の両端部を共通電極で接続して梯子型等に形成したりできる（例えば、特開２００３−３２６７５６号、WO２００５／０５６２９７参照）。
電子放出部位の近傍に共通電極を設けることで、放電電極の放熱面積の拡大及び、熱容量の増大により、放電電極の冷却効果、加熱停止に対する応答性が向上し、また、抵抗値の低減により常に安定した電圧を印加できるので、放電の安定性等を更に向上させることができる。【０００９】
特に、共通電極の幅を電子放出部位の幅より幅広に形成した場合、一時的に１００〜３００℃に加熱される放電電極の冷却効果が向上し、熱の籠りを防ぐことができるので、加熱のオフに迅速に応答して放電を停止でき、放電時間間隔を短縮して短時間で放電の有無を切替えることができ、記録速度の高速化を図ることができる。また、共通電極の抵抗値を引き下げることができ、共通電極で接続された各々の電子放出部位の間に生じる電位差を極力抑えることができるので、各々の電子放出部位における放電量のばらつきを低減でき、放電の安定性に優れる。
尚、長方形状や正方形状等の平板状に形成した放電電極では、加熱手段により選択的に加熱され電子が放出される電子放出部位以外が共通電極となる。【００１０】
放電電極を櫛型に形成する場合、各々の電子放出部位の形状は、略矩形状、台形状、半円形状、砲弾状あるいはこれらを組合せた形状等に形成することができる。また、電子放出部位の一部をさらにスリット等で分割したり、周縁部に凹凸部を形成したりすることで電子放出部位の縁周辺の周長を増加させることができる（例えば、WO２００５／０５６２９７参照）。放電電極は縁周辺からの電子放出量が多いので、縁周辺の周長を長くすることで、放電電極からの電子放出量を増加させて照射されるイオン量や発光強度を増加させることができ、放電制御電圧や加熱温度を低く設定することができ、省エネルギー性及び放電発生の効率性に優れる。また、放電制御電圧を低く設定できるので、放電電極の長寿命性にも優れる。
放電電極の端部を分割したり周縁部に凹凸部を形成したりする代りに、電子放出部位（加熱位置）の近傍に放電孔部を形成してもよい。これにより、放電孔部の縁周辺から電子を効率的に放出させることができ、放電電極の端部を分割するのと同様の作用を得ることができる。放電孔部の形状は、略円形、略楕円形、四角形や六角形等の多角形、星形など様々な形状に形成することができる。また、電子放出部位（加熱位置近傍）の１箇所当たりの放電孔部の数及び大きさは適宜選択して組合せることができる。尚、放電電極の凹凸部や放電孔部は前述のエッチングやレーザ加工等により形成することができる。【００１１】
また、放電電極の内の少なくとも共通電極の表面には導電材層を形成してもよい。これにより、共通電極の抵抗値を更に引き下げることができ、各々の電子放出部位間に生じる電位差を確実に低減でき、放電の安定性に優れる。導電材層は放電電極よりも優れた導電性を有するものであればよく、銀ペーストのスクリーン印刷や銀メッキ等により容易に形成することができる。導電材層の厚みを増すことにより、共通電極の抵抗値を低減でき、放電の安定性を向上させることができる。
放電電極の厚さは材質にもよるが、金で形成する場合の厚さは０．１μｍ〜１００μｍが好ましい。放電電極の厚さが０．１μｍより薄くなるにつれ摩耗の影響を受け易く放電電極の寿命が短くなる傾向があり、１００μｍより厚くなるにつれ熱容量が増加し加熱のオン／オフに対する応答性が低下し易くなる傾向があり、いずれも好ましくない。放電電極の厚さを１００μｍ以下にすることで、加熱状態から急速に復帰させることができ、印字速度を高速化することができる。【００１２】
放電電極を加熱するための加熱手段としては、レーザ光を照射する方式や赤外線を照射する方式等が好適に用いられる。レーザ光を照射する方式としては、従来の電子写真方式と同様のレーザスキャナユニットを用いることができ、レーザ照射部にポリゴンミラー又はガルバノミラーを組合せて放電電極に対してレーザ光のみをスキャンさせるもの、放電電極に対してレーザ照射部自体をシリアル走査させるもの等が好適に用いられる。また、レーザ光や赤外線を光ファイバーや集光レンズで集光して放電電極に照射してもよい。特に多本数の光ファイバーを高密度かつ高精度に配列した光ファイバーアレイを用いた場合、同時に複数の電子放出部位に対し、レーザ光や赤外線を選択的に照射することができ、高速記録が可能で実用性に優れる。
また、加熱手段として従来の感熱式のファクシミリに使用されるサーマルプリントヘッドと同様の構成を用いることもできる。具体的には、発熱抵抗体と電気的に接続されたドライバＩＣで発熱抵抗体の発熱を制御するものである。【００１３】
媒体本体の記録面の表面抵抗は、画像形成時に電子やイオンにより付与された電荷が速やかに消滅するように１０９Ω・ｃｍ〜１０１３Ω・ｃｍの抵抗値に形成することが好ましい。記録面表面の抵抗値が１０９Ω・ｃｍより小さくなるにつれ、媒体本体の表面に載せた電荷が面上で移動し易くなり、画像がぼやける傾向があり、１０１３Ω・ｃｍより大きくなるにつれ、記録面が帯電し易くなり、静電気などの影響により画像が変化する傾向があり、いずれも好ましくない。
この記録媒体は、前述のように放電電極と対向電極との間に放電制御電圧に相当する電位差を設定しておき、放電電極を選択的に加熱することにより放電を発生させ、画像を形成することができる。よって、放電制御電圧に相当する電圧を全て放電電極側に印加し、対向電極を接地するようにしてもよいし、放電制御電圧に相当する電圧の一部を対向電極側に印加するようにしてもよい。尚、対向電極への接地や電圧印加は選択的に行ってもよい。【００１４】
対向電極は、媒体本体の放電電極が配設された面と反対の面側に媒体本体と一体に形成してもよいし、画像形成装置に設けた平板状の記録媒体載置部や搬送ローラ等の表面に形成して放電電極と対向するように媒体本体の裏面に接触又は近接させてもよい。
この対向電極及び／又は放電電極をカラーフィルタ若しくは着色されたツイストボールや微粒子の表示原色の配置に対応させて分割して形成した場合、対向電極及び／又は放電電極を媒体本体のカラー表示の表示原色の色単位で選択することができるので、画像情報を色単位に分割して画像を形成することができ、色ずれを確実に防止して高品質なカラー画像を得ることができる。【００１５】
請求項２に記載の発明は、請求項１に記載の記録媒体であって、前記媒体本体と前記放電電極との間に配設され前記媒体本体と前記放電電極とを離間させたスペーサを備えた構成を有している。
この構成により、請求項１の作用に加え、以下のような作用を有する。
（１）媒体本体と放電電極との間にスペーサを備えることにより、媒体本体と放電電極とを離間させ放電空間を形成することができ、放電電極から放出された電子が放電空間内の空気中を移動する間に多量のイオンを発生させ、媒体本体の記録面に効率的に電荷を付与して静電潜像を形成し、画像を表示させることができる。【００１６】
ここで、スペーサは、媒体本体の記録面と放電電極との間の隙間を略一定に保って放電電極を保持することができるものであればよく、フォトレジスト等により形成することができる。スペーサは媒体本体と放電電極の間を各画素に対応するマトリックス状の放電空間に分割するように配置してもよいし、複数の画素を行単位又は列単位の放電空間に分割するように配置してもよい。尚、記録面と放電電極との間の隙間は１０μｍ〜２００μｍが好ましい。隙間が１０μｍより狭くなるにつれ、放電空間を確保することができず、放電制御電圧の設定が困難になる傾向があり、２００μｍより広くなるにつれ、放電の発生効率が低下し、放電制御電圧が大きくなる傾向があり、いずれも好ましくない。【００１７】
請求項３に記載の発明は、請求項１又は２に記載の記録媒体であって、前記媒体本体の前記放電電極が配設された面と反対の面側に前記放電電極と対向して配設された対向電極を備えた構成を有している。
この構成により、請求項１又は２の作用に加え、以下のような作用を有する。
（１）媒体本体を挟むように放電電極と対向電極が対向して配設されているので、放電電極と対向電極の間に放電制御電圧に相当する電位差を設定して電界を形成した状態で放電に備えることができ、高電圧となる放電制御電圧を直接制御する必要がなく、発熱抵抗体やレーザ照射部等を備えた加熱手段により放電電極を選択的に加熱することで放電電極と対向電極との間で放電を発生させることができ、電界によって放電電極から放出させた電子やイオンを媒体本体の記録面に移動させ、電荷を付与して静電潜像を形成し、画像を表示させることができる。
（２）媒体本体の表裏が放電電極と対向電極により挟まれているので、画像形成後に外部からの電界の影響を受けることがなく、画像が経時的に変化することを防止でき、長期に渡って表示画像を維持することが可能で画像品質の安定性に優れる。【００１８】
ここで、対向電極は導電性を有するものであればよいが、ＩＴＯ等で透明に形成することにより、記録媒体の表示面とすることができる。尚、対向電極は媒体本体の全面に渡って共通の平板状に形成する以外に、媒体本体の表示画素の各行或いは各列に対応させて短冊状に形成したり、各画素に対応させてマトリックス状に形成したりすることにより、選択的な接地や電圧印加を行うことができる。特に、行単位や列単位で選択できるものは選択制御が容易で好適に用いられる。
尚、対向電極の配設は段落〔００１４〕の欄に記載した方法で行われる。【００１９】
請求項４に記載の発明は、請求項１乃至３の内いずれか１項に記載の記録媒体であって、前記放電電極に覆設された放電電極保護層と、前記放電電極保護層に前記放電電極に対応して配設された発熱抵抗体を有する加熱手段と、を備えた構成を有している。
この構成により、請求項１乃至３の内いずれか１項の作用に加え、以下のような作用を有する。
（１）放電電極に覆設された放電電極保護層を有するので、電圧が印加される放電電極と加熱手段の発熱抵抗体とを確実に絶縁することができると共に、発熱抵抗体と放電電極保護層を密着させて発熱抵抗体の発する熱を効率的に放電電極に伝達することができ、発熱した発熱抵抗体に対応する放電電極の任意の位置（電子放出部位）を加熱して放電を発生させることができる。
（２）放電電極と共に放電電極を選択的に加熱するための加熱手段が、媒体本体と一体に形成されているので、電子やイオンの照射位置精度を向上させることができ、高精細な画像を形成することができる。【００２０】
ここで、放電電極保護層の材質としては、絶縁性及び加熱手段による加熱に耐える耐熱性を有すると共に、加熱手段が発する熱を放電電極に伝達できる熱伝達性を有するものが好適に用いられる。具体的には、ガラスやポリイミド，芳香族ポリアミド，ポリフェニレンオキシド，ポリベンズイミダゾール，ボリフェニルキノキサリン，ポリアリレート，ポリエーテルイミド，ポリエーテルスルフォン，ポリフェニレンサルファイド，ポリエーテルエーテルケトン，アラミド等の合成樹脂等が好適に用いられる。
また、発熱抵抗体としては、ＴａＳｉＯ２、ＲｕＯ２等が好適に用いられる。尚、発熱抵抗体に発熱部保護層を覆設することにより、発熱抵抗体の破損を確実に防止することができると共に、発熱抵抗体に直接、手が触れることを防止でき、取り扱い性、安全性に優れる。発熱部保護層の材質としては、前述の放電電極保護層と同様のものやＳｉＯＮ，ＳｉＯ２等が好適に用いられる。【００２１】
請求項５に記載の発明は、請求項１乃至３の内いずれか１項に記載の記録媒体であって、前記放電電極の前記媒体本体側と反対側の表面に形成又は配設若しくは塗設された熱吸収層を備えた構成を有している。
この構成により、請求項１乃至３の内いずれか１項の作用に加え、以下のような作用を有する。
（１）放電電極の媒体本体側と反対側の表面に形成又は配設若しくは塗設された熱吸収層を有するので、レーザ照射部や赤外線照射部等を備えた加熱手段により発せられる熱を熱吸収層で吸収して確実に放電電極に伝達することができ、加熱の効率性に優れる。
ここで、熱吸収層は、例えば黒色の塗料、クロムメッキ等により形成することができる。また、放電電極に直接、熱吸収層を形成若しくは塗設する代わりに、黒色に着色したフィルムやクロムメッキを施したガラス等で形成した熱吸収層を放電電極に積層してもよい。【００２２】
請求項６に記載の発明は、請求項３乃至５の内いずれか１項に記載の記録媒体であって、前記対向電極が、前記媒体本体の表示画素の画素単位、行単位、列単位の内のいずれか１つの単位で分割されて形成された構成を有している。
この構成により、請求項３乃至５の内いずれか１項の作用に加え、以下のような作用を有する。
（１）対向電極が、媒体本体の表示画素の画素単位で分割されて形成されている場合、放電電極の電子放出部位の実装密度が媒体本体の解像度（画素）よりも粗い場合でも、電子放出部位から放出された電子やイオンを記録面の所望の位置に精度良く照射することができ、媒体本体を画像情報に基づいて選択的に帯電させることができ、画像の高品質性に優れる。
（２）対向電極が、媒体本体の表示画素の行単位或いは列単位で分割されて形成されている場合、対向電極を行単位或いは列単位で選択し、放電電極と対向電極との間に選択的に放電制御電圧に相当する電位差を設定して電界を形成することができ、選択された対向電極と重なる放電電極上の任意の位置（電子放出部位）を加熱することにより、画素単位で放電の発生を制御することができ、画像の高品質性に優れる。【００２３】
ここで、対向電極を媒体本体の表示画素の画素単位で形成する場合は、媒体本体の各画素に対応させてマトリックス状に形成すればよい。また、対向電極を媒体本体の表示画素の行単位或いは列単位で形成する場合は、媒体本体の画素の各行或いは各列に対応させて各行或いは各列に共通の短冊状に形成すればよい。特に、対向電極を行単位或いは列単位で分割して形成した場合は、対向電極の選択が容易で接地若しくは電圧印加の制御を簡便に行うことができ生産性に優れる。【００２４】
請求項７に記載の発明は、請求項６に記載の記録媒体であって、前記対向電極が、前記媒体本体の表示原色の色単位に分割されて形成された構成を有している。
この構成により、請求項６の作用に加え、以下のような作用を有する。
（１）対向電極が、媒体本体の表示原色の色単位に分割されて形成されているので、色単位で選択された対向電極と放電電極との間に放電制御電圧に相当する電位差を設定して電界を形成することができ、選択された対向電極に対応する放電電極の任意の電子放出部位を画像情報に基づいて選択的に加熱することにより、選択された放電電極と対向電極との間で放電を発生させることができ、放電に伴って放出された電子やイオンを記録面の所望の位置に照射して電荷の作用で静電潜像を形成して画像を表示することができ、色ずれを確実に防止して高品質なカラー画像を得ることができる。
ここで、対向電極は縞模様状に配置されたカラーフィルタや画像表示材料の各々の表示原色に対応させて短冊状に形成することが好ましい。これにより、対向電極を色単位で簡便に選択制御することができ取り扱い性に優れる。【００２５】
請求項８に記載の発明は、請求項１乃至７の内いずれか１項に記載の記録媒体であって、前記放電電極が、前記媒体本体の表示原色の色単位に分割されて形成された構成を有している。
この構成により、請求項１乃至７の内いずれか１項の作用に加え、以下のような作用を有する。
（１）放電電極が、媒体本体の表示原色の色単位に分割されて形成されているので、色単位で選択された放電電極とそれに対向する対向電極との間に放電制御電圧に相当する電位差を設定して電界を形成することができ、選択された放電電極の任意の電子放出部位を画像情報に基づいて選択的に加熱することにより、選択された放電電極と対向電極との間で放電を発生させることができ、放電に伴って放出された電子やイオンを記録面の所望の位置に照射して電荷の作用で静電潜像を形成して画像を表示することができ、色ずれを確実に防止して高品質なカラー画像を得ることができる。
ここで、対向電極は媒体本体の全面に渡って共通の長方形状や正方形状等の一枚の平板状に形成してもよいし、媒体本体の表示画素の各行或いは各列に対応した短冊状や各画素に対応したマトリックス状等に形成してもよい。【００２６】
請求項９に記載の発明は、請求項１乃至８の内いずれか１項に記載の記録媒体であって、複数の表示原色が縞模様状に配置されたカラーフィルタが、前記媒体本体に積層された構成を有している。
この構成により、請求項１乃至８の内いずれか１項の作用に加え、以下のような作用を有する。
（１）複数の表示原色が縞模様状に配置されたカラーフィルタを媒体本体に積層することにより、透過光によって簡便にカラー画像を表示することができ、生産性、取扱い性に優れる。【００２７】
ここで、カラー表示の表示原色は二色以上であればよく、色の組合せも適宜、選択することができる。一つの画素を表示原色の数に応じて複数のサブ画素に分割し、各々のサブ画素に表示原色を縞模様状に配置することでカラー化に対応できる。尚、カラー表示の表示原色が少なくとも加法混色法における三原色（Ｒ，Ｇ，Ｂ）を備えた場合、フルカラー表示を行うことができるが、必要に応じて黒色等の他の色を含めても良い。
カラーフィルタは光を透過してカラー表示することができればよいので、媒体本体の表示層の裏面に配置してもよいし、表示層の上面（記録面）側に配置してもよい。また、ＩＴＯ等の透明な対向電極の下面に配置してもよい。【００２８】
請求項１０に記載の発明は、請求項１乃至８の内いずれか１項に記載の記録媒体であって、複数の表示原色の内のいずれか一色を選択的に表示可能な画像表示材料が、前記媒体本体に前記表示原色の色毎に縞模様状に配置された構成を有している。
この構成により、請求項１乃至８の内いずれか１項の作用に加え、以下のような作用を有する。
（１）複数の表示原色の内のいずれか一色を選択的に表示可能な画像表示材料が、媒体本体に表示原色の色毎に縞模様状に配置されているので、反射光によって簡便にカラー画像を表示することができ、生産性、取扱い性に優れる。【００２９】
ここで、画像表示材料としては、反射型のものであればよく、ツイストボール方式，電気泳動方式，粉体移動方式等のものが好適に用いられる。これらの画像表示材料のツイストボールや微粒子を白色又は複数の表示原色の内のいずれか一色を選択的に表示できるように着色することにより、カラー表示を行うことができる。カラー表示の表示原色は二色以上であればよく、色の組合せも適宜、選択することができる。一つの画素を表示原色の数に応じて複数のサブ画素に分割し、各々のサブ画素にそれぞれの表示原色に対応した画像表示材料を色毎に縞模様状に配置することでカラー化に対応できる。尚、カラー表示の表示原色が少なくとも減法混色法における三原色（Ｙ，Ｍ，Ｃ）を備えた場合、フルカラー表示を行うことができるが、必要に応じて黒色等の他の色を含めても良い。
【発明の効果】
【００３０】
以上のように、本発明の記録媒体によれば、以下のような有利な効果が得られる。
請求項１に記載の発明によれば、以下のような効果を有する。
（１）放電電極と媒体本体を一体に形成することにより、記録面と対向する放電電極の表面（電子放出部位）を粉塵等から保護し、放電電極の長寿命性及び放電発生の安定性を向上させることができ、放電電極や媒体本体などに不具合が発生した場合には、媒体本体と一緒に放電電極を廃棄、交換することにより画像品質の劣化を確実に防止することができる画像品質の信頼性に優れた記録媒体を提供することができる。【００３１】
請求項２に記載の発明によれば、請求項１の効果に加え、以下のような効果を有する。
（１）放電電極から放出された電子が、媒体本体と放電電極との間に形成された放電空間内の空気中を移動する間に多量のイオンを発生させることができ、それらの電荷の作用により媒体本体に効率的に画像を形成することができる省エネルギー性に優れた記録媒体を提供することができる。【００３２】
請求項３に記載の発明によれば、請求項１又は２の効果に加え、以下のような効果を有する。
（１）媒体本体の両面を対向電極と放電電極で挟むことにより、画像形成後に外部からの電界が媒体本体の表示層に影響することがなく、環境の変化や静電気等により画像が経時的に変化することを防止して長期に渡って表示画像を維持することが可能な画像品質の安定性に優れた記録媒体を提供することができる。【００３３】
請求項４に記載の発明によれば、請求項１乃至３の内いずれか１項の効果に加え、以下のような効果を有する。
（１）放電電極に対して予め位置決め固定された加熱手段を有するので、画像形成時に位置合わせを行うことなく所望の位置に確実に電子やイオンを照射して高精細な画像を形成することができる画像の高品質性に優れた記録媒体を提供することができる。【００３４】
請求項５に記載の発明によれば、請求項１乃至３の内いずれか１項の効果に加え、以下のような効果を有する。
（１）放電電極の媒体本体側と反対側の表面に熱吸収層が形成又は配設若しくは塗設されているので、加熱手段のレーザ照射部や赤外線照射部等から発せられる熱を熱吸収層で吸収し、効率的に放電電極を加熱することができ、電子放出部位から放出される電子やイオンの量を増加させて鮮明な画像を形成することができる高品質で信頼性に優れた記録媒体を提供することができる。【００３５】
請求項６に記載の発明によれば、請求項３乃至５の内いずれか１項の効果に加え、以下のような効果を有する。
（１）表示画素の画素単位若しくは行単位或いは列単位に分割されて形成された対向電極を有することにより、記録面の所望の位置（画素）に対応した放電電極との間で選択的に電子を放出させて放電を発生させることができ、電子やイオンを精度良く照射して媒体本体を画像情報に基づいて確実に帯電させることができる画像の高品質性に優れた記録媒体を提供することができる。【００３６】
請求項７に記載の発明によれば、請求項６の効果に加え、以下のような効果を有する。
（１）対向電極が媒体本体の表示原色の色単位に分割されて形成されていることにより、画像情報を色単位に分割して画像を形成することができ、色ずれを確実に防止して高品質なカラー画像を得ることができる信頼性に優れた記録媒体を提供することができる。【００３７】
請求項８に記載の発明によれば、請求項１乃至７の内いずれか１項の効果に加え、以下のような効果を有する。
（１）放電電極が媒体本体の表示原色の色単位に分割されて形成されていることにより、画像情報を色単位に分割して画像を形成することができ、色ずれを確実に防止して高品質なカラー画像を得ることができる信頼性に優れた記録媒体を提供することができる。【００３８】
請求項９に記載の発明によれば、請求項１乃至８の内いずれか１項の効果に加え、以下のような効果を有する。
（１）媒体本体に積層されたカラーフィルタにより、透過光を利用して簡便にカラー画像を表示することができる生産性、取扱い性に優れた記録媒体を提供することができる。【００３９】
請求項１０に記載の発明によれば、請求項１乃至８の内いずれか１項の効果に加え、以下のような効果を有する。
（１）着色された画像表示材料を媒体本体に封入することにより、カラーフィルタを用いることなく、反射光を利用して簡便にカラー画像を表示することができる構造が簡素で生産性、取扱い性に優れた記録媒体を提供することができる。
【図面の簡単な説明】
【００４０】
【図１】実施の形態１における記録媒体を用いた画像形成方法を示す要部断面模式斜視図
【図２】実施の形態１における記録媒体のカラーフィルタを示す模式平面図
【図３】実施の形態１における記録媒体の対向電極を示す模式平面図
【図４】実施の形態２における記録媒体を用いた画像形成方法を示す要部断面模式斜視図
【図５】実施の形態２における記録媒体の媒体本体を示す要部模式平面図
【図６】実施の形態３における記録媒体を用いた画像形成方法を示す要部断面模式斜視図
【符号の説明】
【００４１】
１，１ａ，１ｂ  記録媒体
２  基板
３，３ｅ  対向電極
３ａ  色分割電極
３ｂ  絶縁膜
３ｃ  接続用開口部
３ｄ  色選択電極
４，４ａ  媒体本体
５  カラーフィルタ
６，６ａ  表示層
６ｂ  画像表示材料
７  スペーサ
８，８ａ  放電電極
９  電子放出部位
１０  熱吸収層
１１  放電電極保護層
１２ａ  発熱抵抗体
１２ｂドライバＩＣ
１３  発熱部保護層
１５，１５ａ  加熱手段
２０，２０ａ，２０ｂ  電位差設定部
２１，２１ａ、２１ｂ  媒体側電圧制御部
２２  放電電極側電圧印加部
２５  搬送ローラ
【発明を実施するための最良の形態】
【００４２】
（実施の形態１）
本発明の実施の形態１における記録媒体について、以下図面を参照しながら説明する。
図１は実施の形態１における記録媒体を用いた画像形成方法を示す要部断面模式斜視図である。
図１中、１は本発明の実施の形態１における記録媒体、２はＰＥＴ等のフィルム状の合成樹脂やガラス等で形成された記録媒体１の透明な基板、３は後述する媒体本体４の表示画素の各行に対応させてＩＴＯ等で短冊状に形成され後述する放電電極８と対向して配設された記録媒体１の透明な対向電極、４は記録媒体１の媒体本体、５は媒体本体４のカラーフィルタ、６はネマティック液晶やスメクティック液晶等のシャッター機能を有する液晶材料を用いた液晶方式や白色又は黒色を選択的に表示可能なツイストボール方式，電気泳動方式，粉体移動方式等の画像表示材料が封入された媒体本体４の表示層、７はフォトレジスト等により媒体本体４の上面に突設して形成されたスペーサ、７ａは媒体本体４と放電電極８との間に形成された放電空間、８はスペーサ７上に渡設された放電電極、９は放電電極８の電子放出部位、１０は放電電極８の表面にカーボン等を含有する黒色の塗料を塗布したり、クロムを蒸着したりして形成した熱吸収層、１１は熱吸収層１０を介して放電電極８に覆設された放電電極保護層、１５は記録媒体１と離間して配設され放電電極８を選択的に加熱するレーザ照射部や赤外線照射部などを備えた画像形成装置の加熱手段、２０は対向電極３と放電電極８との間に放電制御電圧に相当する電位差を設定して電界を形成する画像形成装置の電位差設定部、２１は画像情報に基づいて記録媒体１の対向電極３に選択的な接地を行う電位差設定部２０の媒体側電圧制御部、２２は放電電極８に電圧を印加する電位差設定部２０の放電電極側電圧印加部である。【００４３】
次に、カラーフィルタ及び対向電極の詳細について説明する。
図２は実施の形態１における記録媒体のカラーフィルタを示す模式平面図であり、図３は実施の形態１における記録媒体の対向電極を示す模式平面図である。
図２に示すように、カラーフィルタ５には、媒体本体４の表示原色として加法混色法における三原色（Ｒ，Ｇ，Ｂ）が縞模様状に繰り返し配置されている。
図３中、３ａはカラーフィルタ５に縞模様状に繰り返し配置された３色の表示原色（Ｒ，Ｇ，Ｂ）に対応して配置された対向電極３の色分割電極、３ｂは色分割電極３ａにアラミドやポリイミド等の合成樹脂をコーティングして形成した絶縁膜、３ｃは同色の色分割電極３ａ同士を後述する色選択電極３ｄで接続するために絶縁膜３ｂに形成された接続用開口部、３ｄは同色の色分割電極３ａ同士を接続して色分割電極３ａを色単位で選択するための対向電極３の色選択電極である。
媒体本体４は、カラーフィルタ５と表示層６を組み合わせることにより、透過光を利用してカラー表示を行う。本実施の形態では、カラーフィルタ５が加法混色法における三原色（Ｒ，Ｇ，Ｂ）を備えることにより、フルカラー表示を行うことができるが、カラー表示の表示原色は二色以上であればよく、色の組合せも適宜、選択することができる。一つの画素を表示原色の数に応じて複数のサブ画素に分割し、各々のサブ画素に表示原色を縞模様状に配置することでカラー化に対応できる。
尚、カラーフィルタ５は光を透過してカラー表示することができればよいので、表示層６の裏面に限らず、表示層６の上面（記録面）側に配置してもよい。また、ＩＴＯ等の透明な対向電極３の下面に配置してもよい。【００４４】
媒体本体４の記録面の表面抵抗は、画像形成時に電子やイオンにより付与された電荷が速やかに消滅するように１０９Ω・ｃｍ〜１０１３Ω・ｃｍの抵抗値に形成した。記録面表面の抵抗値が１０１０Ω・ｃｍより大きくなるにつれ、１０９Ω・ｃｍより小さくなるにつれ、媒体本体４の表面に載せた電荷が面上で移動し易くなり、画像がぼやける傾向があり、１０１３Ω・ｃｍより大きくなるにつれ、記録面が帯電し易くなり、静電気などの影響により画像が変化する傾向があることがわかったためである。【００４５】
スペーサ７は、媒体本体４の記録面と放電電極８との間の隙間を略一定に保つように形成される。本実施の形態では、媒体本体４と放電電極８の間を列単位の放電空間７ａに分割するようにスペーサ７を配置したが、行単位の放電空間に分割するように配置してもよいし、各画素に対応したマトリックス状の放電空間に分割するように配置してもよい。尚、媒体本体４と放電電極８との間の隙間は１０μｍ〜２００μｍに形成した。隙間が１０μｍより狭くなるにつれ、放電空間７ａを確保することができず、放電制御電圧の設定が困難になる傾向があり、２００μｍより広くなるにつれ、放電の発生効率が低下し、放電制御電圧が大きくなる傾向があることがわかったためである。【００４６】
本実施の形態では、複数の電子放出部位９を有する放電電極８を長方形状の一枚の平板状に形成したが、例えば複数の電子放出部位９の一端部を共通電極で接続して櫛型に形成したり、複数の電子放出部位９の両端部を共通電極で接続して梯子型等に形成したりできる（例えば、WO２００５／０５６２９７参照）。尚、長方形状や正方形状等の平板状に形成した放電電極８は、電子放出部位９以外が共通電極となる。電子放出部位９近傍に共通電極を設けることで、放電電極８の放熱面積の拡大及び、熱容量の増大により、放電電極８の冷却効果、加熱停止に対する応答性を向上させている。また、抵抗値の低減により常に安定した電圧を印加できるので、放電の安定性にも優れている。【００４７】
熱吸収層１０は放電電極８の表面にカーボン等を含有する黒色の塗料を塗布したり、クロムを蒸着したりして形成する以外に、ガラスやポリイミド，アラミド，ポリエーテルイミド等の合成樹脂等に黒色の塗料を塗布したり、クロムを蒸着したりして形成してもよい。
放電電極保護層１１の材質としては、絶縁性及び加熱手段１５による加熱に耐える耐熱性を有すると共に、加熱手段１５が発する熱を放電電極８に伝達できる熱伝達性を有するものが好ましく、ガラスやポリイミド，芳香族ポリアミド，ポリフェニレンオキシド，ポリベンズイミダゾール，ボリフェニルキノキサリン，ポリアリレート，ポリエーテルイミド，ポリエーテルスルフォン，ポリフェニレンサルファイド，ポリエーテルエーテルケトン，アラミド等の合成樹脂等が好適に用いられる。【００４８】
以上のように構成された記録媒体を用いた画像形成方法について説明する。
図１に示すように、まず、電位差設定工程の放電電極側電圧印加工程において、電位差設定部２０の放電電極側電圧印加部２２により放電電極８に放電制御電圧を印加する。
続いて、電位差設定工程の媒体側電圧制御工程において、電位差設定部２０の媒体側電圧制御部２１により媒体本体４のカラー表示の表示原色（Ｒ，Ｇ，Ｂ）の色単位で対向電極３を選択し接地する（ここでは一番手前を選択）。
次に、放電電極加熱工程において、選択された色を表示すべき画素に対応する位置にある放電電極８の電子放出部位９を加熱手段１５により選択的に加熱する。このとき、一画素の内の選択された色に対応した対向電極３（一番手前）のみが接地されているので、加熱手段１５により加熱された放電電極８の電子放出部位９とそれに対向する一番手前の対向電極３との間のみで放電が発生し、接地されていない他の色に対応した対向電極３と放電電極８との間では放電は発生しない。これにより、一番手前の対向電極３上のサブ画素の位置には、放電に伴って発生した電子やイオンの電荷の作用により、静電潜像が形成され画像が表示されるが、他の対向電極３上には静電潜像は形成されず、画像は表示されない。また、放電電極８の内、加熱手段１５により加熱されていない部分の電子放出部位９と、それに対向する部分の対向電極３との間でも放電は発生しない。
以上の動作を表示原色の色単位で繰り返し、カラー画像を形成する。【００４９】
加熱手段１５側で画素の位置を選択し、媒体側電圧制御部２１側で一画素中の表示原色（サブ画素）を選択するので、加熱手段１５による加熱範囲が媒体本体４のサブ画素の面積よりも広い場合でも、高品質なカラー画像を形成することができる。
尚、本実施の形態においては、媒体側電圧制御工程の後工程として放電電極加熱工程を行ったが、媒体側電圧制御工程と放電電極加熱工程を同時に行ってもよい。
また、放電電極側電圧印加工程において、放電電極側電圧印加部２２で放電制御電圧に相当する電圧を全て放電電極８のみに印加し、媒体側電圧制御工程において、媒体側電圧制御部２１で対向電極３を選択的に接地する代わりに、放電電極側電圧印加工程において、放電制御電圧に相当する電圧の一部を除いて放電電極８に印加し、媒体側電圧制御工程において、残りの一部の電圧を対向電極３に選択的に印加するようにしてもよい。【００５０】
実施の形態１の記録媒体は以上のように構成されているので以下の作用を有する。
（１）媒体本体４を挟むように対向電極３と放電電極８が配設されているので、対向電極３と放電電極８の間に放電制御電圧に相当する電位差を設定して電界を形成した状態で放電に備えることができ、高電圧となる放電制御電圧を直接制御する必要がなく、レーザ照射部等を備えた加熱手段１５により放電電極８を選択的に加熱することで放電電極８と対向電極３との間で放電を発生させることができ、電界によって放電電極８の電子放出部位９から放出させた電子やイオンを媒体本体４の記録面に移動させ、電荷を付与して静電潜像を形成し、画像を表示することができる。
（２）媒体本体４の上面に突設されたスペーサ７上に放電電極８が渡設されているので、放電電極８の電子放出部位９から放出された電子が空気中を移動する間に多量のイオンを発生させることができ、媒体本体４の記録面に効率的に電荷を付与して静電潜像を形成し、画像を表示することができる。
（３）媒体本体４の表裏が対向電極３と放電電極８により挟まれているので、画像形成後に外部からの電界の影響を受けることがなく、画像が経時的に変化することを防止でき、長期に渡って表示画像を維持することが可能で画像品質の安定性に優れる。
（４）放電電極８の電子放出部位９が記録面と対向するように放電電極８と媒体本体４が一体に形成されているので、放電電極８の表面（電子放出部位９）が粉塵等で汚れることがなく、放電電極８の長寿命性及び放電発生の安定性に優れると共に、放電電極８や媒体本体４などの不具合により画像品質の劣化が発生した場合には、媒体本体４と一緒に放電電極８を廃棄、交換することにより常に画像の品質を一定に保つことができ、画像品質の信頼性に優れる。
（５）放電電極８の放電電極保護層１１側の表面に形成又は配設若しくは塗設された熱吸収層１０を有するので、レーザ照射部や赤外線照射部等を備えた加熱手段１５により発せられる熱を熱吸収層１０で吸収して確実に放電電極８に伝達することができ、加熱の効率性に優れる。
（６）対向電極３が、表示画素の行単位で分割されて形成されているので、対向電極３を行単位で選択し、放電電極８と対向電極３との間に選択的に放電制御電圧に相当する電位差を設定して電界を形成することができ、選択された対向電極３と重なる放電電極８の電子放出部位９の任意の位置を加熱することにより、画素単位で放電の発生を制御することができ、画像の高品質性に優れる。
（７）行単位で分割されて形成された対向電極３を表示原色の色単位で選択することにより、選択された対向電極３と放電電極８との間に放電制御電圧に相当する電位差を設定して電界を形成することができ、選択された対向電極３に対応する放電電極８の任意の位置の電子放出部位９を画像情報に基づいて選択的に加熱し、その対向電極３と電子放出部位９との間で放電を発生させることができ、放電に伴って放出される電子やイオンを記録面の所望の位置に照射して電荷の作用で静電潜像を形成して画像を表示することができ、色ずれを確実に防止して高品質なカラー画像を得ることができる。【００５１】
（実施の形態２）
本発明の実施の形態２における記録媒体について、以下図面を参照しながら説明する。尚、実施の形態１と同様のものには同一の符号を付して説明を省略する。
図４は実施の形態２における記録媒体を用いた画像形成方法を示す要部断面模式斜視図である。
図４において、実施の形態２における記録媒体が実施の形態１と異なるのは、対向電極３ｅが媒体本体４ａの全面に渡って共通の長方形状の一枚の平板状に形成されている点と、媒体本体４ａがカラーフィルタ５を備えていない点と、記録媒体１ａに熱吸収層１０を備えず、放電電極保護層１１に密着してマトリックス状に配置された各々の発熱抵抗体１２ａに電気的に接続されたドライバＩＣ１２ｂで発熱を制御する加熱手段１５ａを備え、発熱抵抗体１２ａに発熱部保護層１３が覆設されている点である。
尚、図４においては、説明の都合上、発熱抵抗体１２ａに通電するための電極を省略した。また、端面に露出した発熱抵抗体１２ａに接続されたドライバＩＣ１２ｂのみを図示したが、実際にはマトリックス状に配置された全ての発熱抵抗体１２ａにドライバＩＣ１２ｂが接続されている。
本実施の形態では、発熱抵抗体１２ａをマトリックス状に配置したが、これに限定されるものではなく、媒体本体４ａの表示画素の画素単位で放電電極８ａを選択的に加熱することができるものであればよい。【００５２】
次に、媒体本体の詳細について説明する。
図５は実施の形態２における記録媒体の媒体本体を示す要部模式平面図である。
実施の形態２における記録媒体の媒体本体が実施の形態１と異なるのは、媒体本体４ａにカラーフィルタ５を設ける代わりに、表示層６ａに白色又は３色の表示原色（Ｙ，Ｍ，Ｃ）の内のいずれか一色を選択的に表示可能なツイストボール方式，電気泳動方式，粉体移動方式の内のいずれか一種の方式の画像表示材料６ｂを表示原色の色毎に縞模様状に配置した点である。
また、実施の形態２における記録媒体に対しては、電位差設定部２０ａの媒体側電圧制御部２１ａにおいて、放電制御電圧の一部を記録媒体１ａの対向電極３ｅに印加した。【００５３】
以上のように構成された記録媒体を用いた画像形成方法について説明する。
図４に示すように、まず、電位差設定工程の媒体側電圧制御工程において、電位差設定部２０ａの媒体側電圧制御部２１ａにより対向電極３ｅに放電制御電圧に相当する電圧の一部を印加する。
続いて、電位差設定工程の放電電極側電圧印加工程において、電位差設定部２０ａの放電電極側電圧印加部２２により媒体本体４のカラー表示の表示原色（Ｙ，Ｍ，Ｃ）の色単位で放電電極８ａに放電制御電圧に相当する電圧の一部を除いて印加する（ここでは一番手前を選択）。
次に、放電電極加熱工程において、選択された色を表示すべき画素に対応する位置にある放電電極８ａの電子放出部位９を加熱手段１５ａにより選択的に加熱する。このとき、一画素の内の選択された色に対応した放電電極８ａ（一番手前）と対向電極３ｅとの間のみに放電制御電圧に相当する電位差が設定されているので、発熱抵抗体１２ａにより加熱された放電電極８ａの電子放出部位９とそれに対向する対向電極３ｅとの間のみで放電が発生し、電圧が印加されていない他の色に対応した放電電極８ａと対向電極３ｅとの間では放電は発生しない。これにより、発熱抵抗体１２ａにより加熱された放電電極８ａの電子放出部位９に対向する対向電極３ｅ上のサブ画素の位置には、放電に伴って発生した電子やイオンの電荷の作用により、静電潜像が形成され画像が表示されるが、対向電極３ｅ上の他の位置には静電潜像は形成されず、画像は表示されない。また、放電電極８ａの内、加熱手段１５ａにより加熱されていない部分の電子放出部位９と、それに対向する部分の対向電極３ｅとの間でも放電は発生しない。
以上の動作を表示原色の色単位で繰り返し、カラー画像を形成する。【００５４】
尚、本実施の形態においては、放電電極側電圧印加工程の後工程として放電電極加熱工程を行ったが、放電電極側電圧印加工程と放電電極加熱工程を同時に行ってもよい。
また、放電電極側電圧印加工程において、放電電極側電圧印加部２２で放電制御電圧に相当する電圧の一部を除いて放電電極８ａに印加し、媒体側電圧制御工程において、媒体側電圧制御部２１ａで残りの一部の電圧を対向電極３ｅに印加する代わりに、放電電極側電圧印加工程において、放電制御電圧に相当する電圧を全て放電電極８ａのみに印加し、媒体側電圧制御工程において、対向電極３ｅを接地するようにしてもよい。【００５５】
実施の形態２の記録媒体は以上のように構成されているので、実施の形態１の（１）乃至（４）と同様の作用に加え、以下の作用を有する。
（１）放電電極８ａに放電電極保護層１１が覆設されているので、加熱手段１５ａの発熱抵抗体１２ａを放電電極保護層１１に密着させて放電電極８ａを加熱することができ、熱伝達性を向上させて画像記録に必要な消費電力を低減でき省エネルギー性に優れる。
（２）放電電極保護層１１に放電電極８ａに対応してマトリックス状に配設された発熱抵抗体１２ａを有する加熱手段１５ａを備えているので、画像情報に基づいて発熱抵抗体１２ａを発熱させるだけで、放電制御電圧に相当する電位差を設定して電界を形成された対向電極３ｅと放電電極８ａの間で選択的に放電を発生させることができ、媒体本体４の記録面を確実に帯電させて画像を形成することができる。
（３）放電電極８ａを加熱するための加熱手段１５ａが一体に形成されているので、電子やイオンの照射位置精度を向上させることができ、高精細な画像を形成することができる。
（４）発熱抵抗体１２ａに発熱部保護層１３が覆設されているので、発熱抵抗体１２ａの破損を確実に防止することができ、取り扱い性、信頼性に優れると共に、発熱抵抗体１２ａに直接、手が触れることがなく安全性に優れる。
（５）複数の表示原色の内のいずれか一色を選択的に表示可能な画像表示材料６ｂが、表示層６ａに表示原色の色毎に縞模様状に配置されているので、反射光によって簡便にカラー画像を表示することができ、生産性、取扱い性に優れる。
（６）放電電極８ａが、表示原色の色単位に分割されて形成されていることにより、色単位で選択された放電電極８ａと対向電極３ｅとの間に放電制御電圧に相当する電位差を設定して電界を形成することができ、選択された放電電極８ａの任意の電子放出部位９を画像情報に基づいて選択的に加熱し、それに対向する対向電極３ｅとの間で放電を発生させることができ、放電に伴って発生する電子やイオンを記録面の所望の位置に照射して電荷の作用で静電潜像を形成して画像を表示することができ、色ずれを確実に防止して高品質なカラー画像を得ることができる。【００５６】
（実施の形態３）
本発明の実施の形態３における記録媒体について、以下図面を参照しながら説明する。尚、実施の形態１又は２と同様のものには同一の符号を付して説明を省略する。
図６は実施の形態３における記録媒体を用いた画像形成方法を示す要部断面模式斜視図である。
図６において、実施の形態３における記録媒体が実施の形態２と異なるのは、記録媒体１ｂが対向電極３ｅを備えていない点である。記録媒体１ｂが対向電極３ｅを備えていない代わりに、電位差設定部２０ｂの媒体側電圧制御部２１ｂにより接地され、放電電極８ａと対向するように媒体本体４ａの裏面側に接触する対向電極としての搬送ローラが画像形成装置に設けられている。【００５７】
以上のように構成された記録媒体を用いた画像形成方法について説明する。
図６に示すように、まず、電位差設定工程の媒体側電圧制御工程において、電位差設定部２０ｂの媒体側電圧制御部２１ｂにより対向電極を兼ねた搬送ローラ２５を接地する。
続いて、電位差設定工程の放電電極側電圧印加工程において、電位差設定部２０ｂの放電電極側電圧印加部２２により媒体本体４のカラー表示の表示原色（Ｙ，Ｍ，Ｃ）の色単位で放電電極８ａに放電制御電圧に相当する電圧を印加する（ここでは一番手前を選択）。
次に、放電電極加熱工程において、選択された色を表示すべき画素に対応する位置にある放電電極８ａの電子放出部位９を加熱手段１５ａにより選択的に加熱する。このとき、一画素の内の選択された色に対応した放電電極８ａ（一番手前）とそれと対向する搬送ローラ２５との間のみに放電制御電圧に相当する電位差が設定されているので、発熱抵抗体１２ａにより加熱された放電電極８ａの電子放出部位９とそれに対向する（重なる）位置にある搬送ローラ２５との間のみで放電が発生し、電圧が印加されていない他の色に対応した放電電極８ａと搬送ローラ２５との間では放電は発生しない。これにより、発熱抵抗体１２ａにより加熱された放電電極８ａの電子放出部位９に対向する搬送ローラ２５上のサブ画素の位置には、放電に伴って発生した電子やイオンの電荷の作用により、静電潜像が形成され画像が表示されるが、搬送ローラ２５上の他の位置には静電潜像は形成されず、画像は表示されない。また、放電電極８ａの内、加熱手段１５ａにより加熱されていない部分の電子放出部位９と、それに対向する部分の搬送ローラ２５との間でも放電は発生しない。
以上の動作を表示原色の色単位で繰り返し、カラー画像を形成する。【００５８】
尚、本実施の形態においては、放電電極側電圧印加工程の後工程として放電電極加熱工程を行ったが、放電電極側電圧印加工程と放電電極加熱工程を同時に行ってもよい。
また、放電電極側電圧印加工程において、放電電極側電圧印加部２２で放電制御電圧に相当する電圧を全て放電電極８ａのみに印加し、媒体側電圧制御工程において、媒体側電圧制御部２１ｂで搬送ローラ２５を接地する代わりに、放電電極側電圧印加工程において、放電制御電圧に相当する電圧の一部を除いて放電電極８ａに印加し、媒体側電圧制御工程において、残りの一部の電圧を搬送ローラ２５に印加するようにしてもよい。【００５９】
実施の形態３の記録媒体は以上のように構成されているので、実施の形態２と同様の矢用に加え、以下の作用を有する。
（１）媒体本体４ａの一方の面側に放電電極８ａが配設されていることにより、放電電極８ａの表面（電子放出部位９）が粉塵等で汚れることがなく、放電電極８ａの長寿命性及び放電発生の安定性に優れると共に、放電電極８ａや媒体本体４ａなどの不具合により画像品質の劣化が発生した場合には、媒体本体４ａと一緒に放電電極８ａを廃棄、交換することにより常に画像の品質を一定に保つことができ、画像品質の信頼性に優れる。
（２）放電電極８ａと媒体本体４ａが一体に形成されているので、放電に伴って放電電極８ａから放出された電子やイオンを媒体本体４ａの記録面の所望の位置に確実に照射することができ、その電荷の作用により高品質な画像を形成することが可能でカラー化を容易に行うことができる。
【産業上の利用可能性】
【００６０】
本発明は、放電電極付きの記録媒体とすることにより、放電電極から放出された電子やイオンを媒体本体の記録面の所望の位置に確実に照射することができ、その電荷の作用により高品質な画像を形成することができカラー化が容易であると共に、放電電極の表面を保護して放電発生の安定性を確保することができ、また、媒体本体を放電電極と対向電極で挟むことにより、環境の変化や静電気等の影響を受け難く、画像が経時的に変化することを確実に防止でき、画像品質の安定性に優れ、幅広い用途に使用することが可能な汎用性に優れた記録媒体の提供を行って、静電現像方式の記録媒体の普及を図ることができる。
【図１】
2007094070.tif 000003
【図２】
2007094070.tif 000004
【図３】
2007094070.tif 000005
【図４】
2007094070.tif 000006
【図５】
2007094070.tif 000007
【図６】
2007094070.tif 000008
【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
電荷の作用により書き込みや消去が可能な静電現像方式の媒体本体と、前記媒体本体の一方の面側に配設された放電電極と、を備え、前記放電電極と、前記媒体本体の前記放電電極が配設された面と反対の面側に形成或いは接触又は近接して配設される対向電極と、の間に放電制御電圧に相当する電位差を設定して電界を形成し、加熱手段により前記放電電極を選択的に加熱することで前記放電電極と前記対向電極との間で放電を発生させ、前記媒体本体の記録面に電荷を付与して静電潜像を形成し、画像を表示させることを特徴とする放電電極付き記録媒体。
【請求項２】
前記媒体本体と前記放電電極との間に配設され前記媒体本体と前記放電電極とを離間させたスペーサを備えたことを特徴とする請求項１に記載の放電電極付き記録媒体。
【請求項３】
前記媒体本体の前記放電電極が配設された面と反対の面側に配設された対向電極を備えたことを特徴とする請求項１又は２に記載の放電電極付き記録媒体。
【請求項４】
前記放電電極に覆設された放電電極保護層と、前記放電電極保護層に前記放電電極に対応して配設された発熱抵抗体を有する加熱手段と、を備えたことを特徴とする請求項１乃至３の内いずれか１項に記載の放電電極付き記録媒体。
【請求項５】
前記放電電極の前記媒体本体側と反対側の表面に形成又は配設若しくは塗設された熱吸収層を備えたことを特徴とする請求項１乃至３の内いずれか１項に記載の放電電極付き記録媒体。
【請求項６】
前記対向電極が、前記媒体本体の表示画素の画素単位、行単位、列単位の内のいずれか１つの単位で分割されて形成されたことを特徴とする請求項３乃至５の内いずれか１項に記載の放電電極付き記録媒体。
【請求項７】
前記対向電極が、前記媒体本体の表示原色の色単位に分割されて形成されたことを特徴とする請求項７に記載の放電電極付き記録媒体。
【請求項８】
前記放電電極が、前記媒体本体の表示原色の色単位に分割されて形成されたことを特徴とする請求項１乃至７の内いずれか１項に記載の放電電極付き記録媒体。
【請求項９】
複数の表示原色が縞模様状に配置されたカラーフィルタが、前記媒体本体に積層されたことを特徴とする請求項１乃至８の内いずれか１項に記載の放電電極付き記録媒体。
【請求項１０】
複数の表示原色の内のいずれか一色を選択的に表示可能な画像表示材料が、前記媒体本体に前記表示原色の色毎に縞模様状に配置されたことを特徴とする請求項１乃至８の内いずれか１項に記載の放電電極付き記録媒体。
【手続補正３】
【補正対象書類名】明細書
【補正対象項目名】０００１
【補正方法】変更
【補正の内容】
【０００１】
本発明は、記録媒体の記録面に電子やイオンを照射するための放電電極が一体に形成された静電現像方式の放電電極付き記録媒体に関する。
【手続補正４】
【補正対象書類名】明細書
【補正対象項目名】０００４
【補正方法】変更
【補正の内容】
【０００４】
本発明は上記要望に応えるもので、放電電極付きの記録媒体とすることにより、放電電極から放出された電子やイオンを媒体本体の記録面の所望の位置に確実に照射することができ、その電荷の作用により高品質な画像を形成することができカラー化が容易であると共に、放電電極の表面を保護して放電発生の安定性を確保することができ、また、媒体本体を放電電極と対向電極で挟むことにより、環境の変化や静電気等の影響を受け難く、画像が経時的に変化することを確実に防止でき、画像品質の安定性に優れ、幅広い用途に使用することが可能な汎用性に優れた放電電極付き記録媒体の提供を目的とする。
【手続補正５】
【補正対象書類名】明細書
【補正対象項目名】０００５
【補正方法】変更
【補正の内容】
【０００５】
上記課題を解決するために本発明の放電電極付き記録媒体は、以下の構成を有している。
本発明の請求項１に記載の放電電極付き記録媒体は、電荷の作用により書き込みや消去が可能な静電現像方式の媒体本体と、前記媒体本体の一方の面側に配設された放電電極と、を備え、前記放電電極と、前記媒体本体の前記放電電極が配設された面と反対の面側に形成或いは接触又は近接して配設される対向電極と、の間に放電制御電圧に相当する電位差を設定して電界を形成し、加熱手段により前記放電電極を選択的に加熱することで前記放電電極と前記対向電極との間で放電を発生させ、前記媒体本体の記録面に電荷を付与して静電潜像を形成し、画像を表示させる構成を有している。
この構成により、以下のような作用を有する。
（１）媒体本体の一方の面側に放電電極が配設されていることにより、放電電極の表面（電子放出部位）が粉塵等で汚れることがなく、放電電極の長寿命性及び放電発生の安定性に優れると共に、放電電極や媒体本体などの不具合により画像品質の劣化が発生した場合には、媒体本体と一緒に放電電極を廃棄、交換することにより常に画像の品質を一定に保つことができ、画像品質の信頼性に優れる。
（２）放電電極と媒体本体が一体に形成されているので、放電に伴って放電電極から放出された電子やイオンを媒体本体の記録面の所望の位置に確実に照射することができ、その電荷の作用により高品質な画像を形成することが可能でカラー化を容易に行うことができる。
（３）放電電極と、媒体本体の放電電極が配設された面と反対の面側に形成或いは接触又は近接して配設された対向電極と、の間に放電制御電圧に相当する電位差を設定して電界を形成し、発熱抵抗体やレーザ照射部等を備えた加熱手段により放電電極を選択的に加熱することで放電電極と対向電極との間で放電を発生させることができ、電界によって放電電極から放出させた電子やイオンを媒体本体の記録面に移動させ、電荷を付与して静電潜像を形成し、画像を表示させることができる。
【手続補正６】
【補正対象書類名】明細書
【補正対象項目名】０００６
【補正方法】変更
【補正の内容】
【０００６】
ここで、この放電電極付き記録媒体の媒体本体は、電荷の作用により静電潜像が形成されるものであればよい。媒体本体の表示層としては、透過型のネマティック液晶やスメクティック液晶等のシャッター機能を有する液晶材料を用いた液晶方式や白色又は黒色を選択的に表示可能なツイストボール方式，電気泳動方式，粉体移動方式等の画像表示材料が封入されたものが好適に用いられる。
これらの表示層に、加法混色法における三原色（Ｒ，Ｇ，Ｂ）を持つカラーフィルタや減法混色法における三原色（Ｙ，Ｍ，Ｃ）を持つ反射層を組み合わせることによりカラー表示を行うことができる。また、カラーフィルタを組み合わせる代わりに、減法混色法における三原色（Ｙ，Ｍ，Ｃ）等に着色したツイストボールや微粒子等の画像表示材料を表示原色の色毎に配列してカラー表示を行うこともできる。また、１枚の媒体本体を複数の領域に分割し、領域毎に異なる色を表示するようにしてもよい。
【手続補正７】
【補正対象書類名】明細書
【補正対象項目名】０００７
【補正方法】変更
【補正の内容】
【０００７】
放電電極の配設は媒体本体の記録面と密着させて形成してもよいし、スペーサ等を挟んで離間させて形成してもよい。
放電制御電圧とは、その電位差だけでは放電電極と対向電極との間で放電は起こらないが、放電電極を加熱することにより放電が起こる電圧域を言う。また、ここでの放電とは放電電極から電子が放出されることを言う。放電電極と媒体本体が離間して形成された放電空間が、大気等のイオン生成可能な雰囲気である場合には、放出された電子が酸素や窒素をイオン化し、それらを媒体本体の記録面に到達させる。
【手続補正８】
【補正対象書類名】明細書
【補正対象項目名】００１３
【補正方法】変更
【補正の内容】
【００１３】
媒体本体の記録面の表面抵抗は、画像形成時に電子やイオンにより付与された電荷が速やかに消滅するように１０9Ω・ｃｍ〜１０13Ω・ｃｍの抵抗値に形成することが好ましい。記録面表面の抵抗値が１０9Ω・ｃｍより小さくなるにつれ、媒体本体の表面に載せた電荷が面上で移動し易くなり、画像がぼやける傾向があり、１０13Ω・ｃｍより大きくなるにつれ、記録面が帯電し易くなり、静電気などの影響により画像が変化する傾向があり、いずれも好ましくない。
この放電電極付き記録媒体は、前述のように放電電極と対向電極との間に放電制御電圧に相当する電位差を設定しておき、放電電極を選択的に加熱することにより放電を発生させ、画像を形成することができる。よって、放電制御電圧に相当する電圧を全て放電電極側に印加し、対向電極を接地するようにしてもよいし、放電制御電圧に相当する電圧の一部を対向電極側に印加するようにしてもよい。尚、対向電極への接地や電圧印加は選択的に行ってもよい。
【手続補正９】
【補正対象書類名】明細書
【補正対象項目名】００１５
【補正方法】変更
【補正の内容】
【００１５】
請求項２に記載の発明は、請求項１に記載の放電電極付き記録媒体であって、前記媒体本体と前記放電電極との間に配設され前記媒体本体と前記放電電極とを離間させたスペーサを備えた構成を有している。
この構成により、請求項１の作用に加え、以下のような作用を有する。
（１）媒体本体と放電電極との間にスペーサを備えることにより、媒体本体と放電電極とを離間させ放電空間を形成することができ、放電電極から放出された電子が放電空間内の空気中を移動する間に多量のイオンを発生させ、媒体本体の記録面に効率的に電荷を付与して静電潜像を形成し、画像を表示させることができる。
【手続補正１０】
【補正対象書類名】明細書
【補正対象項目名】００１７
【補正方法】変更
【補正の内容】
【００１７】
請求項３に記載の発明は、請求項１又は２に記載の放電電極付き記録媒体であって、前記媒体本体の前記放電電極が配設された面と反対の面側に前記放電電極と対向して配設された対向電極を備えた構成を有している。
この構成により、請求項１又は２の作用に加え、以下のような作用を有する。
（１）媒体本体を挟むように放電電極と対向電極が対向して配設されているので、放電電極と対向電極の間に放電制御電圧に相当する電位差を設定して電界を形成した状態で放電に備えることができ、高電圧となる放電制御電圧を直接制御する必要がなく、発熱抵抗体やレーザ照射部等を備えた加熱手段により放電電極を選択的に加熱することで放電電極と対向電極との間で放電を発生させることができ、電界によって放電電極から放出させた電子やイオンを媒体本体の記録面に移動させ、電荷を付与して静電潜像を形成し、画像を表示させることができる。
（２）媒体本体の表裏が放電電極と対向電極により挟まれているので、画像形成後に外部からの電界の影響を受けることがなく、画像が経時的に変化することを防止でき、長期に渡って表示画像を維持することが可能で画像品質の安定性に優れる。
【手続補正１１】
【補正対象書類名】明細書
【補正対象項目名】００１８
【補正方法】変更
【補正の内容】
【００１８】
ここで、対向電極は導電性を有するものであればよいが、ＩＴＯ等で透明に形成することにより、放電電極付き記録媒体の表示面とすることができる。尚、対向電極は媒体本体の全面に渡って共通の平板状に形成する以外に、媒体本体の表示画素の各行或いは各列に対応させて短冊状に形成したり、各画素に対応させてマトリックス状に形成したりすることにより、選択的な接地や電圧印加を行うことができる。特に、行単位や列単位で選択できるものは選択制御が容易で好適に用いられる。
尚、対向電極の配設は段落〔００１４〕の欄に記載した方法で行われる。
【手続補正１２】
【補正対象書類名】明細書
【補正対象項目名】００１９
【補正方法】変更
【補正の内容】
【００１９】
請求項４に記載の発明は、請求項１乃至３の内いずれか１項に記載の放電電極付き記録媒体であって、前記放電電極に覆設された放電電極保護層と、前記放電電極保護層に前記放電電極に対応して配設された発熱抵抗体を有する加熱手段と、を備えた構成を有している。
この構成により、請求項１乃至３の内いずれか１項の作用に加え、以下のような作用を有する。
（１）放電電極に覆設された放電電極保護層を有するので、電圧が印加される放電電極と加熱手段の発熱抵抗体とを確実に絶縁することができると共に、発熱抵抗体と放電電極保護層を密着させて発熱抵抗体の発する熱を効率的に放電電極に伝達することができ、発熱した発熱抵抗体に対応する放電電極の任意の位置（電子放出部位）を加熱して放電を発生させることができる。
（２）放電電極と共に放電電極を選択的に加熱するための加熱手段が、媒体本体と一体に形成されているので、電子やイオンの照射位置精度を向上させることができ、高精細な画像を形成することができる。
【手続補正１３】
【補正対象書類名】明細書
【補正対象項目名】００２１
【補正方法】変更
【補正の内容】
【００２１】
請求項５に記載の発明は、請求項１乃至３の内いずれか１項に記載の放電電極付き記録媒体であって、前記放電電極の前記媒体本体側と反対側の表面に形成又は配設若しくは塗設された熱吸収層を備えた構成を有している。
この構成により、請求項１乃至３の内いずれか１項の作用に加え、以下のような作用を有する。
（１）放電電極の媒体本体側と反対側の表面に形成又は配設若しくは塗設された熱吸収層を有するので、レーザ照射部や赤外線照射部等を備えた加熱手段により発せられる熱を熱吸収層で吸収して確実に放電電極に伝達することができ、加熱の効率性に優れる。
ここで、熱吸収層は、例えば黒色の塗料、クロムメッキ等により形成することができる。また、放電電極に直接、熱吸収層を形成若しくは塗設する代わりに、黒色に着色したフィルムやクロムメッキを施したガラス等で形成した熱吸収層を放電電極に積層してもよい。
【手続補正１４】
【補正対象書類名】明細書
【補正対象項目名】００２２
【補正方法】変更
【補正の内容】
【００２２】
請求項６に記載の発明は、請求項３乃至５の内いずれか１項に記載の放電電極付き記録媒体であって、前記対向電極が、前記媒体本体の表示画素の画素単位、行単位、列単位の内のいずれか１つの単位で分割されて形成された構成を有している。
この構成により、請求項３乃至５の内いずれか１項の作用に加え、以下のような作用を有する。
（１）対向電極が、媒体本体の表示画素の画素単位で分割されて形成されている場合、放電電極の電子放出部位の実装密度が媒体本体の解像度（画素）よりも粗い場合でも、電子放出部位から放出された電子やイオンを記録面の所望の位置に精度良く照射することができ、媒体本体を画像情報に基づいて選択的に帯電させることができ、画像の高品質性に優れる。
（２）対向電極が、媒体本体の表示画素の行単位或いは列単位で分割されて形成されている場合、対向電極を行単位或いは列単位で選択し、放電電極と対向電極との間に選択的に放電制御電圧に相当する電位差を設定して電界を形成することができ、選択された対向電極と重なる放電電極上の任意の位置（電子放出部位）を加熱することにより、画素単位で放電の発生を制御することができ、画像の高品質性に優れる。
【手続補正１５】
【補正対象書類名】明細書
【補正対象項目名】００２４
【補正方法】変更
【補正の内容】
【００２４】
請求項７に記載の発明は、請求項６に記載の放電電極付き記録媒体であって、前記対向電極が、前記媒体本体の表示原色の色単位に分割されて形成された構成を有している。
この構成により、請求項６の作用に加え、以下のような作用を有する。
（１）対向電極が、媒体本体の表示原色の色単位に分割されて形成されているので、色単位で選択された対向電極と放電電極との間に放電制御電圧に相当する電位差を設定して電界を形成することができ、選択された対向電極に対応する放電電極の任意の電子放出部位を画像情報に基づいて選択的に加熱することにより、選択された放電電極と対向電極との間で放電を発生させることができ、放電に伴って放出された電子やイオンを記録面の所望の位置に照射して電荷の作用で静電潜像を形成して画像を表示することができ、色ずれを確実に防止して高品質なカラー画像を得ることができる。
ここで、対向電極は縞模様状に配置されたカラーフィルタや画像表示材料の各々の表示原色に対応させて短冊状に形成することが好ましい。これにより、対向電極を色単位で簡便に選択制御することができ取り扱い性に優れる。
【手続補正１６】
【補正対象書類名】明細書
【補正対象項目名】００２５
【補正方法】変更
【補正の内容】
【００２５】
請求項８に記載の発明は、請求項１乃至７の内いずれか１項に記載の放電電極付き記録媒体であって、前記放電電極が、前記媒体本体の表示原色の色単位に分割されて形成された構成を有している。
この構成により、請求項１乃至７の内いずれか１項の作用に加え、以下のような作用を有する。
（１）放電電極が、媒体本体の表示原色の色単位に分割されて形成されているので、色単位で選択された放電電極とそれに対向する対向電極との間に放電制御電圧に相当する電位差を設定して電界を形成することができ、選択された放電電極の任意の電子放出部位を画像情報に基づいて選択的に加熱することにより、選択された放電電極と対向電極との間で放電を発生させることができ、放電に伴って放出された電子やイオンを記録面の所望の位置に照射して電荷の作用で静電潜像を形成して画像を表示することができ、色ずれを確実に防止して高品質なカラー画像を得ることができる。
ここで、対向電極は媒体本体の全面に渡って共通の長方形状や正方形状等の一枚の平板状に形成してもよいし、媒体本体の表示画素の各行或いは各列に対応した短冊状や各画素に対応したマトリックス状等に形成してもよい。
【手続補正１７】
【補正対象書類名】明細書
【補正対象項目名】００２６
【補正方法】変更
【補正の内容】
【００２６】
請求項９に記載の発明は、請求項１乃至８の内いずれか１項に記載の放電電極付き記録媒体であって、複数の表示原色が縞模様状に配置されたカラーフィルタが、前記媒体本体に積層された構成を有している。
この構成により、請求項１乃至８の内いずれか１項の作用に加え、以下のような作用を有する。
（１）複数の表示原色が縞模様状に配置されたカラーフィルタを媒体本体に積層することにより、透過光によって簡便にカラー画像を表示することができ、生産性、取扱い性に優れる。
【手続補正１８】
【補正対象書類名】明細書
【補正対象項目名】００２８
【補正方法】変更
【補正の内容】
【００２８】
請求項１０に記載の発明は、請求項１乃至８の内いずれか１項に記載の放電電極付き記録媒体であって、複数の表示原色の内のいずれか一色を選択的に表示可能な画像表示材料が、前記媒体本体に前記表示原色の色毎に縞模様状に配置された構成を有している。
この構成により、請求項１乃至８の内いずれか１項の作用に加え、以下のような作用を有する。
（１）複数の表示原色の内のいずれか一色を選択的に表示可能な画像表示材料が、媒体本体に表示原色の色毎に縞模様状に配置されているので、反射光によって簡便にカラー画像を表示することができ、生産性、取扱い性に優れる。
【手続補正１９】
【補正対象書類名】明細書
【補正対象項目名】００３０
【補正方法】変更
【補正の内容】
【００３０】
以上のように、本発明の放電電極付き記録媒体によれば、以下のような有利な効果が得られる。
請求項１に記載の発明によれば、以下のような効果を有する。
（１）放電電極と媒体本体を一体に形成することにより、記録面と対向する放電電極の表面（電子放出部位）を粉塵等から保護し、放電電極の長寿命性及び放電発生の安定性を向上させることができ、放電電極や媒体本体などに不具合が発生した場合には、媒体本体と一緒に放電電極を廃棄、交換することにより画像品質の劣化を確実に防止することができる画像品質の信頼性に優れた放電電極付き記録媒体を提供することができる。
【手続補正２０】
【補正対象書類名】明細書
【補正対象項目名】００３１
【補正方法】変更
【補正の内容】
【００３１】
請求項２に記載の発明によれば、請求項１の効果に加え、以下のような効果を有する。
（１）放電電極から放出された電子が、媒体本体と放電電極との間に形成された放電空間内の空気中を移動する間に多量のイオンを発生させることができ、それらの電荷の作用により媒体本体に効率的に画像を形成することができる省エネルギー性に優れた放電電極付き記録媒体を提供することができる。
【手続補正２１】
【補正対象書類名】明細書
【補正対象項目名】００３２
【補正方法】変更
【補正の内容】
【００３２】
請求項３に記載の発明によれば、請求項１又は２の効果に加え、以下のような効果を有する。
（１）媒体本体の両面を対向電極と放電電極で挟むことにより、画像形成後に外部からの電界が媒体本体の表示層に影響することがなく、環境の変化や静電気等により画像が経時的に変化することを防止して長期に渡って表示画像を維持することが可能な画像品質の安定性に優れた放電電極付き記録媒体を提供することができる。
【手続補正２２】
【補正対象書類名】明細書
【補正対象項目名】００３３
【補正方法】変更
【補正の内容】
【００３３】
請求項４に記載の発明によれば、請求項１乃至３の内いずれか１項の効果に加え、以下のような効果を有する。
（１）放電電極に対して予め位置決め固定された加熱手段を有するので、画像形成時に位置合わせを行うことなく所望の位置に確実に電子やイオンを照射して高精細な画像を形成することができる画像の高品質性に優れた放電電極付き記録媒体を提供することができる。
【手続補正２３】
【補正対象書類名】明細書
【補正対象項目名】００３４
【補正方法】変更
【補正の内容】
【００３４】
請求項５に記載の発明によれば、請求項１乃至３の内いずれか１項の効果に加え、以下のような効果を有する。
（１）放電電極の媒体本体側と反対側の表面に熱吸収層が形成又は配設若しくは塗設されているので、加熱手段のレーザ照射部や赤外線照射部等から発せられる熱を熱吸収層で吸収し、効率的に放電電極を加熱することができ、電子放出部位から放出される電子やイオンの量を増加させて鮮明な画像を形成することができる高品質で信頼性に優れた放電電極付き記録媒体を提供することができる。
【手続補正２４】
【補正対象書類名】明細書
【補正対象項目名】００３５
【補正方法】変更
【補正の内容】
【００３５】
請求項６に記載の発明によれば、請求項３乃至５の内いずれか１項の効果に加え、以下のような効果を有する。
（１）表示画素の画素単位若しくは行単位或いは列単位に分割されて形成された対向電極を有することにより、記録面の所望の位置（画素）に対応した放電電極との間で選択的に電子を放出させて放電を発生させることができ、電子やイオンを精度良く照射して媒体本体を画像情報に基づいて確実に帯電させることができる画像の高品質性に優れた放電電極付き記録媒体を提供することができる。
【手続補正２５】
【補正対象書類名】明細書
【補正対象項目名】００３６
【補正方法】変更
【補正の内容】
【００３６】
請求項７に記載の発明によれば、請求項６の効果に加え、以下のような効果を有する。
（１）対向電極が媒体本体の表示原色の色単位に分割されて形成されていることにより、画像情報を色単位に分割して画像を形成することができ、色ずれを確実に防止して高品質なカラー画像を得ることができる信頼性に優れた放電電極付き記録媒体を提供することができる。
【手続補正２６】
【補正対象書類名】明細書
【補正対象項目名】００３７
【補正方法】変更
【補正の内容】
【００３７】
請求項８に記載の発明によれば、請求項１乃至７の内いずれか１項の効果に加え、以下のような効果を有する。
（１）放電電極が媒体本体の表示原色の色単位に分割されて形成されていることにより、画像情報を色単位に分割して画像を形成することができ、色ずれを確実に防止して高品質なカラー画像を得ることができる信頼性に優れた放電電極付き記録媒体を提供することができる。
【手続補正２７】
【補正対象書類名】明細書
【補正対象項目名】００３８
【補正方法】変更
【補正の内容】
【００３８】
請求項９に記載の発明によれば、請求項１乃至８の内いずれか１項の効果に加え、以下のような効果を有する。
（１）媒体本体に積層されたカラーフィルタにより、透過光を利用して簡便にカラー画像を表示することができる生産性、取扱い性に優れた放電電極付き記録媒体を提供することができる。
【手続補正２８】
【補正対象書類名】明細書
【補正対象項目名】００３９
【補正方法】変更
【補正の内容】
【００３９】
請求項１０に記載の発明によれば、請求項１乃至８の内いずれか１項の効果に加え、以下のような効果を有する。
（１）着色された画像表示材料を媒体本体に封入することにより、カラーフィルタを用いることなく、反射光を利用して簡便にカラー画像を表示することができる構造が簡素で生産性、取扱い性に優れた放電電極付き記録媒体を提供することができる。
【手続補正２９】
【補正対象書類名】明細書
【補正対象項目名】００４０
【補正方法】変更
【補正の内容】
【００４０】
【図１】実施の形態１における放電電極付き記録媒体を用いた画像形成方法を示す要部断面模式斜視図
【図２】実施の形態１における放電電極付き記録媒体のカラーフィルタを示す模式平面図
【図３】実施の形態１における放電電極付き記録媒体の対向電極を示す模式平面図
【図４】実施の形態２における放電電極付き記録媒体を用いた画像形成方法を示す要部断面模式斜視図
【図５】実施の形態２における放電電極付き記録媒体の媒体本体を示す要部模式平面図
【図６】実施の形態３における放電電極付き記録媒体を用いた画像形成方法を示す要部断面模式斜視図
【手続補正３０】
【補正対象書類名】明細書
【補正対象項目名】００４１
【補正方法】変更
【補正の内容】
【００４１】
１，１ａ，１ｂ 放電電極付き記録媒体
２  基板
３，３ｅ  対向電極
３ａ  色分割電極
３ｂ  絶縁膜
３ｃ  接続用開口部
３ｄ  色選択電極
４，４ａ  媒体本体
５  カラーフィルタ
６，６ａ  表示層
６ｂ  画像表示材料
７  スペーサ
８，８ａ  放電電極
９  電子放出部位
１０  熱吸収層
１１  放電電極保護層
１２ａ  発熱抵抗体
１２ｂドライバＩＣ
１３  発熱部保護層
１５，１５ａ  加熱手段
２０，２０ａ，２０ｂ  電位差設定部
２１，２１ａ、２１ｂ  媒体側電圧制御部
２２  放電電極側電圧印加部
２５  搬送ローラ
【手続補正３１】
【補正対象書類名】明細書
【補正対象項目名】００４２
【補正方法】変更
【補正の内容】
【００４２】
（実施の形態１）
本発明の実施の形態１における放電電極付き記録媒体について、以下図面を参照しながら説明する。
図１は実施の形態１における放電電極付き記録媒体を用いた画像形成方法を示す要部断面模式斜視図である。
図１中、１は本発明の実施の形態１における放電電極付き記録媒体、２はＰＥＴ等のフィルム状の合成樹脂やガラス等で形成された放電電極付き記録媒体１の透明な基板、３は後述する媒体本体４の表示画素の各行に対応させてＩＴＯ等で短冊状に形成され後述する放電電極８と対向して配設された放電電極付き記録媒体１の透明な対向電極、４は放電電極付き記録媒体１の媒体本体、５は媒体本体４のカラーフィルタ、６はネマティック液晶やスメクティック液晶等のシャッター機能を有する液晶材料を用いた液晶方式や白色又は黒色を選択的に表示可能なツイストボール方式，電気泳動方式，粉体移動方式等の画像表示材料が封入された媒体本体４の表示層、７はフォトレジスト等により媒体本体４の上面に突設して形成されたスペーサ、７ａは媒体本体４と放電電極８との間に形成された放電空間、８はスペーサ７上に渡設された放電電極、９は放電電極８の電子放出部位、１０は放電電極８の表面にカーボン等を含有する黒色の塗料を塗布したり、クロムを蒸着したりして形成した熱吸収層、１１は熱吸収層１０を介して放電電極８に覆設された放電電極保護層、１５は放電電極付き記録媒体１と離間して配設され放電電極８を選択的に加熱するレーザ照射部や赤外線照射部などを備えた画像形成装置の加熱手段、２０は対向電極３と放電電極８との間に放電制御電圧に相当する電位差を設定して電界を形成する画像形成装置の電位差設定部、２１は画像情報に基づいて放電電極付き記録媒体１の対向電極３に選択的な接地を行う電位差設定部２０の媒体側電圧制御部、２２は放電電極８に電圧を印加する電位差設定部２０の放電電極側電圧印加部である。
【手続補正３２】
【補正対象書類名】明細書
【補正対象項目名】００４３
【補正方法】変更
【補正の内容】
【００４３】
次に、カラーフィルタ及び対向電極の詳細について説明する。
図２は実施の形態１における放電電極付き記録媒体のカラーフィルタを示す模式平面図であり、図３は実施の形態１における放電電極付き記録媒体の対向電極を示す模式平面図である。
図２に示すように、カラーフィルタ５には、媒体本体４の表示原色として加法混色法における三原色（Ｒ，Ｇ，Ｂ）が縞模様状に繰り返し配置されている。
図３中、３ａはカラーフィルタ５に縞模様状に繰り返し配置された３色の表示原色（Ｒ，Ｇ，Ｂ）に対応して配置された対向電極３の色分割電極、３ｂは色分割電極３ａにアラミドやポリイミド等の合成樹脂をコーティングして形成した絶縁膜、３ｃは同色の色分割電極３ａ同士を後述する色選択電極３ｄで接続するために絶縁膜３ｂに形成された接続用開口部、３ｄは同色の色分割電極３ａ同士を接続して色分割電極３ａを色単位で選択するための対向電極３の色選択電極である。
媒体本体４は、カラーフィルタ５と表示層６を組み合わせることにより、透過光を利用してカラー表示を行う。本実施の形態では、カラーフィルタ５が加法混色法における三原色（Ｒ，Ｇ，Ｂ）を備えることにより、フルカラー表示を行うことができるが、カラー表示の表示原色は二色以上であればよく、色の組合せも適宜、選択することができる。一つの画素を表示原色の数に応じて複数のサブ画素に分割し、各々のサブ画素に表示原色を縞模様状に配置することでカラー化に対応できる。
尚、カラーフィルタ５は光を透過してカラー表示することができればよいので、表示層６の裏面に限らず、表示層６の上面（記録面）側に配置してもよい。また、ＩＴＯ等の透明な対向電極３の下面に配置してもよい。
【手続補正３３】
【補正対象書類名】明細書
【補正対象項目名】００４８
【補正方法】変更
【補正の内容】
【００４８】
以上のように構成された放電電極付き記録媒体を用いた画像形成方法について説明する。
図１に示すように、まず、電位差設定工程の放電電極側電圧印加工程において、電位差設定部２０の放電電極側電圧印加部２２により放電電極８に放電制御電圧を印加する。
続いて、電位差設定工程の媒体側電圧制御工程において、電位差設定部２０の媒体側電圧制御部２１により媒体本体４のカラー表示の表示原色（Ｒ，Ｇ，Ｂ）の色単位で対向電極３を選択し接地する（ここでは一番手前を選択）。
次に、放電電極加熱工程において、選択された色を表示すべき画素に対応する位置にある放電電極８の電子放出部位９を加熱手段１５により選択的に加熱する。このとき、一画素の内の選択された色に対応した対向電極３（一番手前）のみが接地されているので、加熱手段１５により加熱された放電電極８の電子放出部位９とそれに対向する一番手前の対向電極３との間のみで放電が発生し、接地されていない他の色に対応した対向電極３と放電電極８との間では放電は発生しない。これにより、一番手前の対向電極３上のサブ画素の位置には、放電に伴って発生した電子やイオンの電荷の作用により、静電潜像が形成され画像が表示されるが、他の対向電極３上には静電潜像は形成されず、画像は表示されない。また、放電電極８の内、加熱手段１５により加熱されていない部分の電子放出部位９と、それに対向する部分の対向電極３との間でも放電は発生しない。
以上の動作を表示原色の色単位で繰り返し、カラー画像を形成する。
【手続補正３４】
【補正対象書類名】明細書
【補正対象項目名】００５０
【補正方法】変更
【補正の内容】
【００５０】
実施の形態１の放電電極付き記録媒体は以上のように構成されているので以下の作用を有する。
（１）媒体本体４を挟むように対向電極３と放電電極８が配設されているので、対向電極３と放電電極８の間に放電制御電圧に相当する電位差を設定して電界を形成した状態で放電に備えることができ、高電圧となる放電制御電圧を直接制御する必要がなく、レーザ照射部等を備えた加熱手段１５により放電電極８を選択的に加熱することで放電電極８と対向電極３との間で放電を発生させることができ、電界によって放電電極８の電子放出部位９から放出させた電子やイオンを媒体本体４の記録面に移動させ、電荷を付与して静電潜像を形成し、画像を表示することができる。
（２）媒体本体４の上面に突設されたスペーサ７上に放電電極８が渡設されているので、放電電極８の電子放出部位９から放出された電子が空気中を移動する間に多量のイオンを発生させることができ、媒体本体４の記録面に効率的に電荷を付与して静電潜像を形成し、画像を表示することができる。
（３）媒体本体４の表裏が対向電極３と放電電極８により挟まれているので、画像形成後に外部からの電界の影響を受けることがなく、画像が経時的に変化することを防止でき、長期に渡って表示画像を維持することが可能で画像品質の安定性に優れる。
（４）放電電極８の電子放出部位９が記録面と対向するように放電電極８と媒体本体４が一体に形成されているので、放電電極８の表面（電子放出部位９）が粉塵等で汚れることがなく、放電電極８の長寿命性及び放電発生の安定性に優れると共に、放電電極８や媒体本体４などの不具合により画像品質の劣化が発生した場合には、媒体本体４と一緒に放電電極８を廃棄、交換することにより常に画像の品質を一定に保つことができ、画像品質の信頼性に優れる。
（５）放電電極８の放電電極保護層１１側の表面に形成又は配設若しくは塗設された熱吸収層１０を有するので、レーザ照射部や赤外線照射部等を備えた加熱手段１５により発せられる熱を熱吸収層１０で吸収して確実に放電電極８に伝達することができ、加熱の効率性に優れる。
（６）対向電極３が、表示画素の行単位で分割されて形成されているので、対向電極３を行単位で選択し、放電電極８と対向電極３との間に選択的に放電制御電圧に相当する電位差を設定して電界を形成することができ、選択された対向電極３と重なる放電電極８の電子放出部位９の任意の位置を加熱することにより、画素単位で放電の発生を制御することができ、画像の高品質性に優れる。
（７）行単位で分割されて形成された対向電極３を表示原色の色単位で選択することにより、選択された対向電極３と放電電極８との間に放電制御電圧に相当する電位差を設定して電界を形成することができ、選択された対向電極３に対応する放電電極８の任意の位置の電子放出部位９を画像情報に基づいて選択的に加熱し、その対向電極３と電子放出部位９との間で放電を発生させることができ、放電に伴って放出される電子やイオンを記録面の所望の位置に照射して電荷の作用で静電潜像を形成して画像を表示することができ、色ずれを確実に防止して高品質なカラー画像を得ることができる。
【手続補正３５】
【補正対象書類名】明細書
【補正対象項目名】００５１
【補正方法】変更
【補正の内容】
【００５１】
（実施の形態２）
本発明の実施の形態２における放電電極付き記録媒体について、以下図面を参照しながら説明する。尚、実施の形態１と同様のものには同一の符号を付して説明を省略する。
図４は実施の形態２における放電電極付き記録媒体を用いた画像形成方法を示す要部断面模式斜視図である。
図４において、実施の形態２における放電電極付き記録媒体が実施の形態１と異なるのは、対向電極３ｅが媒体本体４ａの全面に渡って共通の長方形状の一枚の平板状に形成されている点と、媒体本体４ａがカラーフィルタ５を備えていない点と、放電電極付き記録媒体１ａに熱吸収層１０を備えず、放電電極保護層１１に密着してマトリックス状に配置された各々の発熱抵抗体１２ａに電気的に接続されたドライバＩＣ１２ｂで発熱を制御する加熱手段１５ａを備え、発熱抵抗体１２ａに発熱部保護層１３が覆設されている点である。
尚、図４においては、説明の都合上、発熱抵抗体１２ａに通電するための電極を省略した。また、端面に露出した発熱抵抗体１２ａに接続されたドライバＩＣ１２ｂのみを図示したが、実際にはマトリックス状に配置された全ての発熱抵抗体１２ａにドライバＩＣ１２ｂが接続されている。
本実施の形態では、発熱抵抗体１２ａをマトリックス状に配置したが、これに限定されるものではなく、媒体本体４ａの表示画素の画素単位で放電電極８ａを選択的に加熱することができるものであればよい。
【手続補正３６】
【補正対象書類名】明細書
【補正対象項目名】００５２
【補正方法】変更
【補正の内容】
【００５２】
次に、媒体本体の詳細について説明する。
図５は実施の形態２における放電電極付き記録媒体の媒体本体を示す要部模式平面図である。
実施の形態２における放電電極付き記録媒体の媒体本体が実施の形態１と異なるのは、媒体本体４ａにカラーフィルタ５を設ける代わりに、表示層６ａに白色又は３色の表示原色（Ｙ，Ｍ，Ｃ）の内のいずれか一色を選択的に表示可能なツイストボール方式，電気泳動方式，粉体移動方式の内のいずれか一種の方式の画像表示材料６ｂを表示原色の色毎に縞模様状に配置した点である。
また、実施の形態２における放電電極付き記録媒体に対しては、電位差設定部２０ａの媒体側電圧制御部２１ａにおいて、放電制御電圧の一部を放電電極付き記録媒体１ａの対向電極３ｅに印加した。
【手続補正３７】
【補正対象書類名】明細書
【補正対象項目名】００５３
【補正方法】変更
【補正の内容】
【００５３】
以上のように構成された放電電極付き記録媒体を用いた画像形成方法について説明する。
図４に示すように、まず、電位差設定工程の媒体側電圧制御工程において、電位差設定部２０ａの媒体側電圧制御部２１ａにより対向電極３ｅに放電制御電圧に相当する電圧の一部を印加する。
続いて、電位差設定工程の放電電極側電圧印加工程において、電位差設定部２０ａの放電電極側電圧印加部２２により媒体本体４のカラー表示の表示原色（Ｙ，Ｍ，Ｃ）の色単位で放電電極８ａに放電制御電圧に相当する電圧の一部を除いて印加する（ここでは一番手前を選択）。
次に、放電電極加熱工程において、選択された色を表示すべき画素に対応する位置にある放電電極８ａの電子放出部位９を加熱手段１５ａにより選択的に加熱する。このとき、一画素の内の選択された色に対応した放電電極８ａ（一番手前）と対向電極３ｅとの間のみに放電制御電圧に相当する電位差が設定されているので、発熱抵抗体１２ａにより加熱された放電電極８ａの電子放出部位９とそれに対向する対向電極３ｅとの間のみで放電が発生し、電圧が印加されていない他の色に対応した放電電極８ａと対向電極３ｅとの間では放電は発生しない。これにより、発熱抵抗体１２ａにより加熱された放電電極８ａの電子放出部位９に対向する対向電極３ｅ上のサブ画素の位置には、放電に伴って発生した電子やイオンの電荷の作用により、静電潜像が形成され画像が表示されるが、対向電極３ｅ上の他の位置には静電潜像は形成されず、画像は表示されない。また、放電電極８ａの内、加熱手段１５ａにより加熱されていない部分の電子放出部位９と、それに対向する部分の対向電極３ｅとの間でも放電は発生しない。
以上の動作を表示原色の色単位で繰り返し、カラー画像を形成する。
【手続補正３８】
【補正対象書類名】明細書
【補正対象項目名】００５５
【補正方法】変更
【補正の内容】
【００５５】
実施の形態２の放電電極付き記録媒体は以上のように構成されているので、実施の形態１の（１）乃至（４）と同様の作用に加え、以下の作用を有する。
（１）放電電極８ａに放電電極保護層１１が覆設されているので、加熱手段１５の発熱抵抗体１２ａを放電電極保護層１１に密着させて放電電極８ａを加熱することができ、熱伝達性を向上させて画像記録に必要な消費電力を低減でき省エネルギー性に優れる。
（２）放電電極保護層１１に放電電極８ａに対応してマトリックス状に配設された発熱抵抗体１２ａを有する加熱手段１５を備えているので、画像情報に基づいて発熱抵抗体１２ａを発熱させるだけで、放電制御電圧に相当する電位差を設定して電界を形成された対向電極３ｅと放電電極８ａの間で選択的に放電を発生させることができ、媒体本体４の記録面を確実に帯電させて画像を形成することができる。
（３）放電電極８ａを加熱するための加熱手段１５が一体に形成されているので、電子やイオンの照射位置精度を向上させることができ、高精細な画像を形成することができる。
（４）発熱抵抗体１２ａに発熱部保護層１３が覆設されているので、発熱抵抗体１２ａの破損を確実に防止することができ、取り扱い性、信頼性に優れると共に、発熱抵抗体１２ａに直接、手が触れることがなく安全性に優れる。
（５）複数の表示原色の内のいずれか一色を選択的に表示可能な画像表示材料６ｂが、表示層６ａに表示原色の色毎に縞模様状に配置されているので、反射光によって簡便にカラー画像を表示することができ、生産性、取扱い性に優れる。
（６）放電電極８ａが、表示原色の色単位に分割されて形成されていることにより、色単位で選択された放電電極８ａと対向電極３ｅとの間に放電制御電圧に相当する電位差を設定して電界を形成することができ、選択された放電電極８ａの任意の電子放出部位９を画像情報に基づいて選択的に加熱し、それに対向する対向電極３ｅとの間で放電を発生させることができ、放電に伴って発生する電子やイオンを記録面の所望の位置に照射して電荷の作用で静電潜像を形成して画像を表示することができ、色ずれを確実に防止して高品質なカラー画像を得ることができる。
【手続補正３９】
【補正対象書類名】明細書
【補正対象項目名】００５６
【補正方法】変更
【補正の内容】
【００５６】
（実施の形態３）
本発明の実施の形態３における放電電極付き記録媒体について、以下図面を参照しながら説明する。尚、実施の形態１又は２と同様のものには同一の符号を付して説明を省略する。
図６は実施の形態３における放電電極付き記録媒体を用いた画像形成方法を示す要部断面模式斜視図である。
図６において、実施の形態３における放電電極付き記録媒体が実施の形態２と異なるのは、放電電極付き記録媒体１ｂが対向電極３ｅを備えていない点である。放電電極付き記録媒体１ｂが対向電極３ｅを備えていない代わりに、電位差設定部２０ｂの媒体側電圧制御部２１ｂにより接地され、放電電極８ａと対向するように媒体本体４ａの裏面側に接触する対向電極としての搬送ローラが画像形成装置に設けられている。
【手続補正４０】
【補正対象書類名】明細書
【補正対象項目名】００５７
【補正方法】変更
【補正の内容】
【００５７】
以上のように構成された放電電極付き記録媒体を用いた画像形成方法について説明する。
図６に示すように、まず、電位差設定工程の媒体側電圧制御工程において、電位差設定部２０ｂの媒体側電圧制御部２１ｂにより対向電極を兼ねた搬送ローラ２５を接地する。
続いて、電位差設定工程の放電電極側電圧印加工程において、電位差設定部２０ｂの放電電極側電圧印加部２２により媒体本体４のカラー表示の表示原色（Ｙ，Ｍ，Ｃ）の色単位で放電電極８ａに放電制御電圧に相当する電圧を印加する（ここでは一番手前を選択）。
次に、放電電極加熱工程において、選択された色を表示すべき画素に対応する位置にある放電電極８ａの電子放出部位９を加熱手段１５ａにより選択的に加熱する。このとき、一画素の内の選択された色に対応した放電電極８ａ（一番手前）とそれと対向する搬送ローラ２５との間のみに放電制御電圧に相当する電位差が設定されているので、発熱抵抗体１２ａにより加熱された放電電極８ａの電子放出部位９とそれに対向する（重なる）位置にある搬送ローラ２５との間のみで放電が発生し、電圧が印加されていない他の色に対応した放電電極８ａと搬送ローラ２５との間では放電は発生しない。これにより、発熱抵抗体１２ａにより加熱された放電電極８ａの電子放出部位９に対向する搬送ローラ２５上のサブ画素の位置には、放電に伴って発生した電子やイオンの電荷の作用により、静電潜像が形成され画像が表示されるが、搬送ローラ２５上の他の位置には静電潜像は形成されず、画像は表示されない。また、放電電極８ａの内、加熱手段１５ａにより加熱されていない部分の電子放出部位９と、それに対向する部分の搬送ローラ２５との間でも放電は発生しない。
以上の動作を表示原色の色単位で繰り返し、カラー画像を形成する。
【手続補正４１】
【補正対象書類名】明細書
【補正対象項目名】００５９
【補正方法】変更
【補正の内容】
【００５９】
実施の形態３の放電電極付き記録媒体は以上のように構成されているので、実施の形態２と同様の矢用に加え、以下の作用を有する。
（１）媒体本体４ａの一方の面側に放電電極８ａが配設されていることにより、放電電極８ａの表面（電子放出部位９）が粉塵等で汚れることがなく、放電電極８ａの長寿命性及び放電発生の安定性に優れると共に、放電電極８ａや媒体本体４ａなどの不具合により画像品質の劣化が発生した場合には、媒体本体４ａと一緒に放電電極８ａを廃棄、交換することにより常に画像の品質を一定に保つことができ、画像品質の信頼性に優れる。
（２）放電電極８ａと媒体本体４ａが一体に形成されているので、放電に伴って放電電極８ａから放出された電子やイオンを媒体本体４ａの記録面の所望の位置に確実に照射することができ、その電荷の作用により高品質な画像を形成することが可能でカラー化を容易に行うことができる。
【手続補正４２】
【補正対象書類名】明細書
【補正対象項目名】００６０
【補正方法】変更
【補正の内容】
【００６０】
本発明は、放電電極付きの記録媒体とすることにより、放電電極から放出された電子やイオンを媒体本体の記録面の所望の位置に確実に照射することができ、その電荷の作用により高品質な画像を形成することができカラー化が容易であると共に、放電電極の表面を保護して放電発生の安定性を確保することができ、また、媒体本体を放電電極と対向電極で挟むことにより、環境の変化や静電気等の影響を受け難く、画像が経時的に変化することを確実に防止でき、画像品質の安定性に優れ、幅広い用途に使用することが可能な汎用性に優れた放電電極付き記録媒体の提供を行って、静電現像方式の記録媒体の普及を図ることができる。
【国際調査報告】
2007094070.tif 000009
2007094070.tif 000010